(57)【要約】【課題】狭い波長帯域の光の検出精度を向上させる。【解決手段】撮像素子は、少なくとも一部の画素において光電変換素子より光の入射側に設けられ、導体薄膜の膜厚が画素により異なる金属薄膜フィルタを備える。本技術は、例えば、ホールアレイ構造又はドットアレイ構造のプラズモンフィルタ等の金属薄膜フィルタを備えるイメージセンサ、例えば、裏面照射型又は表面照射型のＣＭＯＳイメージセンサに適用できる。【選択図】図２７
2018098342.tif 000002
【特許請求の範囲】
【請求項１】
少なくとも一部の画素において光電変換素子より光の入射側に設けられ、導体薄膜の膜厚が画素により異なる金属薄膜フィルタを
備える撮像素子。
【請求項２】
前記金属薄膜フィルタの導体薄膜の膜厚は、前記金属薄膜フィルタの透過帯域又は吸収帯域により異なる
請求項１に記載の撮像素子。
【請求項３】
第１の画素の第１の金属薄膜フィルタの透過帯域が第２の画素の第２の金属薄膜フィルタの透過帯域より短波長であり、前記第１の金属薄膜フィルタの導体薄膜が前記第２の金属薄膜フィルタの導体薄膜より薄い
請求項２に記載の撮像素子。
【請求項４】
前記金属薄膜フィルタは、ホールアレイ構造のプラズモンフィルタであり、
前記第１の金属薄膜フィルタのホールピッチが、前記第２の金属薄膜フィルタのホールピッチより狭い
請求項３に記載の撮像素子。
【請求項５】
第１の画素の第１の金属薄膜フィルタの吸収帯域が第２の画素の第２の金属薄膜フィルタの吸収帯域より短波長であり、前記第１の金属薄膜フィルタの導体薄膜が前記第２の金属薄膜フィルタの導体薄膜より厚い
請求項２に記載の撮像素子。
【請求項６】
前記金属薄膜フィルタは、ドットアレイ構造のプラズモンフィルタであり、
前記第１の金属薄膜フィルタのドットピッチが、前記第２の金属薄膜フィルタのドットピッチより狭い
請求項５に記載の撮像素子。
【請求項７】
前記金属薄膜フィルタの導体薄膜の膜厚は、２種類以上である
請求項１に記載の撮像素子。
【請求項８】
前記金属薄膜フィルタより光の入射側に設けられ、前記金属薄膜フィルタの透過帯域を含む透過帯域を有する透過フィルタを
さらに備える請求項１に記載の撮像素子。
【請求項９】
第１の画素及び第２の画素において、層間膜の上に金属膜を成膜する第１の工程と、
前記第１の画素において、金属膜を除去する第２の工程と、
前記第１の画素及び前記第２の画素において、さらに金属膜を成膜する第３の工程と、
前記第１の画素及び前記第２の画素において、金属膜にホールを形成する第４の工程と
を含む撮像素子の製造方法。
【請求項１０】
第１の画素において、層間膜の金属薄膜フィルタのホールに対応する部分以外に第１の溝を形成する第１の工程と、
第２の画素において、前記層間膜の金属薄膜フィルタのホールに対応する部分以外に前記第１の溝と深さが異なる第２の溝を形成する第２の工程と、
前記第１の画素及び前記第２の画素において、前記層間膜の上に金属膜を成膜し、前記第１の溝及び前記第２の溝に金属膜を充填する第３の工程と、
前記第１の画素及び前記第２の画素において、前記層間膜の表面まで金属膜を除去する第４の工程と
を含む撮像素子の製造方法。
【請求項１１】
少なくとも一部の画素において光電変換素子より光の入射側に設けられ、導体薄膜の膜厚が画素により異なる
金属薄膜フィルタ。
【請求項１２】
撮像素子と、
前記撮像素子から出力される信号を処理する信号処理部と
を備え、
前記撮像素子は、
少なくとも一部の画素において光電変換素子より光の入射側に設けられ、導体薄膜の膜厚が画素により異なる金属薄膜フィルタを
備える電子機器。
【発明の詳細な説明】
【技術分野】
【０００１】
本開示に係る技術（以下、本技術とも称する）は、撮像素子、撮像素子の製造方法、金属薄膜フィルタ、及び、電子機器に関し、特に、狭い波長帯域の光を検出する場合に用いて好適な撮像素子、撮像素子の製造方法、金属薄膜フィルタ、及び、電子機器に関する。
【背景技術】
【０００２】
従来、プラズモンフィルタを用いて、所定の狭い波長帯域（狭帯域）の光（以下、狭帯域光とも称する）を検出する撮像素子が提案されている（例えば、特許文献１参照）。
【先行技術文献】
【特許文献】
【０００３】
【特許文献１】特開２０１０−１６５７１８号公報
【発明の概要】
【発明が解決しようとする課題】
【０００４】
ところで、ホールアレイ構造のプラズモンフィルタでは、金属製の薄膜に形成されているホール間のピッチ（以下、ホールピッチと称する）が狭くなるにつれて、透過する光の波長帯域（透過帯域）が短波長側にシフトし、ホールピッチが広くなるにつれて、透過帯域が長波長側にシフトする。
【０００５】
一方、ホールピッチがある程度狭くなり、透過帯域が短波長のある領域において、プラズモンフィルタの感度が低下する。また、ホールピッチが広くなり、透過帯域が長波長になるほど、プラズモンフィルタの分光特性のピーク波長付近の幅（以下、ピーク幅と称する）、及び、半値幅が広くなる。その結果、狭帯域光の検出精度が低下するおそれがある。
【０００６】
本技術は、このような状況に鑑みてなされたものであり、狭帯域光の検出精度を向上させるようにするものである。
【課題を解決するための手段】
【０００７】
本技術の第１の側面の撮像素子は、光少なくとも一部の画素において光電変換素子より光の入射側に設けられ、導体薄膜の膜厚が画素により異なる金属薄膜フィルタを備える。
【０００８】
前記金属薄膜フィルタの導体薄膜の膜厚を、前記金属薄膜フィルタの透過帯域又は吸収帯域により異ならせることができる。
【０００９】
第１の画素の第１の金属薄膜フィルタの透過帯域を第２の画素の第２の金属薄膜フィルタの透過帯域より短波長にし、前記第１の金属薄膜フィルタの導体薄膜を前記第２の金属薄膜フィルタの導体薄膜より薄くすることができる。
【００１０】
前記金属薄膜フィルタを、ホールアレイ構造のプラズモンフィルタとし、前記第１の金属薄膜フィルタのホールピッチを、前記第２の金属薄膜フィルタのホールピッチより狭くすることができる。
【００１１】
第１の画素の第１の金属薄膜フィルタの吸収帯域を第２の画素の第２の金属薄膜フィルタの吸収帯域より短波長にし、前記第１の金属薄膜フィルタの導体薄膜を前記第２の金属薄膜フィルタの導体薄膜より厚くすることができる。
【００１２】
前記金属薄膜フィルタを、ドットアレイ構造のプラズモンフィルタとし、前記第１の金属薄膜フィルタのドットピッチを、前記第２の金属薄膜フィルタのドットピッチより狭くすることができる。
【００１３】
前記金属薄膜フィルタの導体薄膜の膜厚を、２種類以上にすることができる。
【００１４】
前記金属薄膜フィルタより光の入射側に設けられ、前記金属薄膜フィルタの透過帯域を含む透過帯域を有する透過フィルタをさらに設けることができる。
【００１５】
本技術の第２の側面の撮像素子の製造方法は、第１の画素及び第２の画素において、層間膜の上に金属膜を成膜する第１の工程と、前記第１の画素において、金属膜を除去する第２の工程と、前記第１の画素及び前記第２の画素において、さらに金属膜を成膜する第３の工程と、前記第１の画素及び前記第２の画素において、金属膜にホールを形成する第４の工程とを含む。
【００１６】
本技術の第３の側面の撮像素子の製造方法は、第１の画素において、層間膜の金属薄膜フィルタのホールに対応する部分以外に第１の溝を形成する第１の工程と、第２の画素において、前記層間膜の金属薄膜フィルタのホールに対応する部分以外に前記第１の溝と深さが異なる第２の溝を形成する第２の工程と、前記第１の画素及び前記第２の画素において、前記層間膜の上に金属膜を成膜し、前記第１の溝及び前記第２の溝に金属膜を充填する第３の工程と、前記第１の画素及び前記第２の画素において、前記層間膜の表面まで金属膜を除去する第４の工程とを含む。
【００１７】
本技術の第４の側面の金属薄膜フィルタは、少なくとも一部の画素において光電変換素子より光の入射側に設けられ、導体薄膜の膜厚が画素により異なる。
【００１８】
本技術の第５の側面の電子機器は、撮像素子と、前記撮像素子から出力される信号を処理する信号処理部とを備え、前記撮像素子は、少なくとも一部の画素において光電変換素子より光の入射側に設けられ、導体薄膜の膜厚が画素により異なる金属薄膜フィルタを備える。
【００１９】
本技術の第１の側面、第４の側面、又は、第５の側面においては、少なくとも一部の画素の光電変換素子に入射する光の波長帯域が制限される。
【００２０】
本技術の第２の側面においては、第１の画素及び第２の画素において、層間膜の上に金属膜が成膜され、前記第１の画素において、金属膜が除去され、前記第１の画素及び前記第２の画素において、さらに金属膜が成膜され、前記第１の画素及び前記第２の画素において、金属膜にホールが形成される。
【００２１】
本技術の第３の側面においては、第１の画素において、層間膜の金属薄膜フィルタのホールに対応する部分以外に第１の溝が形成され、第２の画素において、前記層間膜の金属薄膜フィルタのホールに対応する部分以外に前記第１の溝と深さが異なる第２の溝が形成され、前記第１の画素及び前記第２の画素において、前記層間膜の上に金属膜が成膜され、前記第１の溝及び前記第２の溝に金属膜が充填され、前記第１の画素及び前記第２の画素において、前記層間膜の表面まで金属膜が除去される。
【発明の効果】
【００２２】
本技術の第１の側面、第４の側面、又は、第５の側面によれば、狭い波長帯域の光の検出精度を向上させることができる。
【００２３】
本技術の第２の側面又は第３の側面によれば、導体薄膜の膜厚が画素により異なる金属薄膜フィルタを形成することができる。その結果、狭い波長帯域の光の検出精度を向上させることができる。
【００２４】
なお、ここに記載された効果は必ずしも限定されるものではなく、本開示中に記載されたいずれかの効果であってもよい。
【図面の簡単な説明】
【００２５】
【図１】本技術を適用した撮像装置の一実施の形態を示すブロック図である。
【図２】撮像素子の回路の構成例を示すブロック図である。
【図３】撮像素子の第１の実施形態の構成例を模式的に示す断面図である。
【図４】ホールアレイ構造のプラズモンフィルタの構成例を示す図である。
【図５】表面プラズモンの分散関係を示すグラフである。
【図６】ホールアレイ構造のプラズモンフィルタの分光特性の第１の例を示すグラフである。
【図７】ホールアレイ構造のプラズモンフィルタの分光特性の第２の例を示すグラフである。
【図８】プラズモンモードと導波管モードを示すグラフである。
【図９】表面プラズモンの伝搬特性の例を示すグラフである。
【図１０】ホールアレイ構造のプラズモンフィルタの他の構成例を示す図である。
【図１１】２層構造のプラズモンフィルタの構成例を示す図である。
【図１２】ドットアレイ構造のプラズモンフィルタの構成例を示す図である。
【図１３】ドットアレイ構造のプラズモンフィルタの分光特性の例を示すグラフである。
【図１４】ＧＭＲを用いたプラズモンフィルタの構成例を示す図である。
【図１５】ＧＭＲを用いたプラズモンフィルタの分光特性の例を示すグラフである。
【図１６】撮像素子の第２の実施形態の構成例を模式的に示す断面図である。
【図１７】撮像装置のフレアの発生の様子を模式的に示す図である。
【図１８】撮像装置のフレアの低減方法を説明するための図である。
【図１９】狭帯域フィルタと透過フィルタの分光特性の第１の例を示すグラフである。
【図２０】狭帯域フィルタと透過フィルタの分光特性の第２の例を示すグラフである。
【図２１】狭帯域フィルタと透過フィルタの分光特性の第３の例を示すグラフである。
【図２２】撮像素子の第３の実施形態の構成例を模式的に示す断面図である。
【図２３】プラズモンフィルタのピッチ及び厚みと分光特性との関係の第１の例を示すグラフである。
【図２４】プラズモンフィルタのピッチ及び厚みと分光特性との関係の第２の例を示すグラフである。
【図２５】プラズモンフィルタのピッチ及び厚みと分光特性との関係の第３の例を示すグラフである。
【図２６】プラズモンフィルタのピッチ及び厚みと分光特性との関係の第４の例を示すグラフである。
【図２７】ホールピッチに合わせて導体薄膜の膜厚を調整したプラズモンフィルタの第１の実施形態を模式的に示す断面図である。
【図２８】図２７のプラズモンフィルタの製造方法を説明するための図である。
【図２９】図２７のプラズモンフィルタの製造方法を説明するための図である。
【図３０】ホールピッチに合わせて導体薄膜の膜厚を調整したプラズモンフィルタの第２の実施形態を模式的に示す断面図である。
【図３１】図３０のプラズモンフィルタの製造方法を説明するための図である。
【図３２】図３０のプラズモンフィルタの製造方法を説明するための図である。
【図３３】本技術を適用し得る積層型の固体撮像装置の構成例の概要を示す図である。
【図３４】本技術の応用例を示す図である。
【図３５】食品のうまみや鮮度を検出する場合の検出帯域の例を示す図である。
【図３６】果物の糖度や水分を検出する場合の検出帯域の例を示す図である。
【図３７】プラスチックの分別を行う場合の検出帯域の例を示す図である。
【図３８】内視鏡手術システムの概略的な構成の一例を示す図である。
【図３９】カメラヘッド及びＣＣＵの機能構成の一例を示すブロック図である。
【図４０】車両制御システムの概略的な構成の一例を示すブロック図である。
【図４１】車外情報検出部及び撮像部の設置位置の一例を示す説明図である。
【発明を実施するための形態】
【００２６】
以下、発明を実施するための形態（以下、「実施形態」と称する）について図面を用いて詳細に説明する。なお、説明は以下の順序で行う。
１．第１の実施形態
２．第２の実施形態
３．変形例
４．応用例
【００２７】
＜＜１．第１の実施形態＞＞
まず、図１乃至図２２を参照して、本技術の第１の実施形態について説明する。
【００２８】
＜撮像装置の構成例＞
図１は、本技術を適用した電子機器の一種である撮像装置の一実施の形態を示すブロック図である。
【００２９】
図１の撮像装置１０は、例えば、静止画及び動画のいずれも撮像することが可能なデジタルカメラからなる。また、撮像装置１０は、例えば、色の３原色若しくは等色関数に基づく従来のＲ（赤）、Ｇ（緑）、Ｂ（青）、又は、Ｙ（黄）、Ｍ（マゼンダ）、Ｃ（シアン）の３つの波長帯域（３バンド）より多い４以上の波長帯域（４バンド以上）の光（マルチスペクトル）を検出可能なマルチスペクトルカメラからなる。
【００３０】
撮像装置１０は、光学系１１、撮像素子１２、メモリ１３、信号処理部１４、出力部１５、及び、制御部１６を備える。
【００３１】
光学系１１は、例えば、図示せぬズームレンズ、フォーカスレンズ、絞り等を備え、外部からの光を、撮像素子１２に入射させる。また、光学系１１には、必要に応じて偏光フィルタ等の各種のフィルタが設けられる。
【００３２】
撮像素子１２は、例えば、ＣＭＯＳ（Complementary Metal Oxide Semiconductor）イメージセンサからなる。撮像素子１２は、光学系１１からの入射光を受光し、光電変換を行って、入射光に対応する画像データを出力する。
【００３３】
メモリ１３は、撮像素子１２が出力する画像データを一時的に記憶する。
【００３４】
信号処理部１４は、メモリ１３に記憶された画像データを用いた信号処理（例えば、ノイズの除去、ホワイトバランスの調整等の処理）を行い、出力部１５に供給する。
【００３５】
出力部１５は、信号処理部１４からの画像データを出力する。例えば、出力部１５は、液晶等で構成されるディスプレイ（不図示）を有し、信号処理部１４からの画像データに対応するスペクトル（画像）を、いわゆるスルー画として表示する。例えば、出力部１５は、半導体メモリ、磁気ディスク、光ディスク等の記録媒体を駆動するドライバ（不図示）を備え、信号処理部１４からの画像データを記録媒体に記録する。例えば、出力部１５は、図示せぬ外部の装置との通信を行う通信インタフェースとして機能し、信号処理部１４からの画像データを、外部の装置に無線又は有線で送信する。
【００３６】
制御部１６は、ユーザの操作等に従い、撮像装置１０の各部を制御する。
【００３７】
＜撮像素子の回路の構成例＞
図２は、図１の撮像素子１２の回路の構成例を示すブロック図である。
【００３８】
撮像素子１２は、画素アレイ３１、行走査回路３２、ＰＬＬ（Phase Locked Loop）３３、ＤＡＣ（Digital Analog Converter）３４、カラムＡＤＣ（Analog Digital Converter）回路３５、列走査回路３６、及び、センスアンプ３７を備える。
【００３９】
画素アレイ３１には、複数の画素５１が２次元に配列されている。
【００４０】
画素５１は、行走査回路３２に接続される水平信号線Ｈと、カラムＡＤＣ回路３５に接続される垂直信号線Ｖとが交差する点にそれぞれ配置されており、光電変換を行うフォトダイオード６１と、蓄積された信号を読み出すための数種類のトランジスタを備える。すなわち、画素５１は、図２の右側に拡大して示されているように、フォトダイオード６１、転送トランジスタ６２、フローティングディフュージョン６３、増幅トランジスタ６４、選択トランジスタ６５、及び、リセットトランジスタ６６を備える。
【００４１】
フォトダイオード６１に蓄積された電荷は、転送トランジスタ６２を介してフローティングディフュージョン６３に転送される。フローティングディフュージョン６３は、増幅トランジスタ６４のゲートに接続されている。画素５１が信号の読み出しの対象となると、行走査回路３２から水平信号線Ｈを介して選択トランジスタ６５がオンにされ、選択された画素５１の信号は、増幅トランジスタ６４をソースフォロワ（Source Follower）駆動することで、フォトダイオード６１に蓄積された電荷の蓄積電荷量に対応する画素信号として、垂直信号線Ｖに読み出される。また、画素信号はリセットトランジスタ６６をオンすることでリセットされる。
【００４２】
行走査回路３２は、画素アレイ３１の画素５１の駆動（例えば、転送、選択、リセット等）を行うための駆動信号を、行ごとに順次、出力する。
【００４３】
ＰＬＬ３３は、外部から供給されるクロック信号に基づいて、撮像素子１２の各部の駆動に必要な所定の周波数のクロック信号を生成して出力する。
【００４４】
ＤＡＣ３４は、所定の電圧値から一定の傾きで電圧が降下した後に所定の電圧値に戻る形状（略鋸形状）のランプ信号を生成して出力する。
【００４５】
カラムＡＤＣ回路３５は、比較器７１及びカウンタ７２を、画素アレイ３１の画素５１の列に対応する個数だけ有しており、画素５１から出力される画素信号から、ＣＤＳ（Correlated Double Sampling：相関２重サンプリング）動作により信号レベルを抽出して、画素データを出力する。すなわち、比較器７１が、ＤＡＣ３４から供給されるランプ信号と、画素５１から出力される画素信号（輝度値）とを比較し、その結果得られる比較結果信号をカウンタ７２に供給する。そして、カウンタ７２が、比較器７１から出力される比較結果信号に応じて、所定の周波数のカウンタクロック信号をカウントすることで、画素信号がＡ／Ｄ変換される。
【００４６】
列走査回路３６は、カラムＡＤＣ回路３５のカウンタ７２に、順次、所定のタイミングで、画素データを出力させる信号を供給する。
【００４７】
センスアンプ３７は、カラムＡＤＣ回路３５から供給される画素データを増幅し、撮像素子１２の外部に出力する。
【００４８】
＜撮像素子の第１の実施形態＞
図３は、図１の撮像素子１２の第１の実施形態である撮像素子１２Ａの断面の構成例を模式的に示している。図３には、撮像素子１２の画素５１−１乃至画素５１−４の４画素分の断面が示されている。なお、以下、画素５１−１乃至画素５１−４を個々に区別する必要がない場合、単に画素５１と称する。
【００４９】
各画素５１においては、上から順に、オンチップマイクロレンズ１０１、層間膜１０２、狭帯域フィルタ層１０３、層間膜１０４、光電変換素子層１０５、及び、信号配線層１０６が積層されている。すなわち、撮像素子１２は、光電変換素子層１０５が信号配線層１０６より光の入射側に配置された裏面照射型のＣＭＯＳイメージセンサからなる。
【００５０】
オンチップマイクロレンズ１０１は、各画素５１の光電変換素子層１０５に光を集光するための光学素子である。
【００５１】
層間膜１０２及び層間膜１０４は、ＳｉＯ２等の誘電体からなる。後述するように、層間膜１０２及び層間膜１０４の誘電率は、できる限り低い方が望ましい。
【００５２】
狭帯域フィルタ層１０３には、所定の狭い波長帯域（狭帯域）の狭帯域光を透過する光学フィルタである狭帯域フィルタＮＢが各画素５１に設けられている。例えば、アルミニウム等の金属製の薄膜を用いた金属薄膜フィルタの一種であり、表面プラズモンを利用したプラズモンフィルタが、狭帯域フィルタＮＢに用いられる。また、狭帯域フィルタＮＢの透過帯域は、画素５１毎に設定される。狭帯域フィルタＮＢの透過帯域の種類（バンド数）は任意であり、例えば、４以上に設定される。
【００５３】
ここで、狭帯域とは、例えば、色の３原色若しくは等色関数に基づく従来のＲ（赤）、Ｇ（緑）、Ｂ（青）、又は、Ｙ（黄）、Ｍ（マゼンダ）、Ｃ（シアン）のカラーフィルタの透過帯域より狭い波長帯域のことである。また、以下、狭帯域フィルタＮＢを透過した狭帯域光を受光する画素を、マルチスペクトル画素又はＭＳ画素と称する。
【００５４】
光電変換素子層１０５は、例えば、図２のフォトダイオード６１等を備え、狭帯域フィルタ層１０３（狭帯域フィルタＮＢ）を透過した光（狭帯域光）を受光し、受光した光を電荷に変換する。また、光電変換素子層１０５は、各画素５１間が素子分離層により電気的に分離されて構成されている。
【００５５】
信号配線層１０６には、光電変換素子層１０５に蓄積された電荷を読み取るための配線等が設けられる。
【００５６】
＜プラズモンフィルタについて＞
次に、図４乃至図１５を参照して、狭帯域フィルタＮＢに用いることが可能なプラズモンフィルタについて説明する。
【００５７】
図４は、ホールアレイ構造のプラズモンフィルタ１２１Ａの構成例を示している。
【００５８】
プラズモンフィルタ１２１Ａは、金属製の薄膜（以下、導体薄膜と称する）１３１Ａにホール１３２Ａがハニカム状に配置されたプラズモン共鳴体により構成されている。
【００５９】
各ホール１３２Ａは、導体薄膜１３１Ａを貫通しており、導波管として作用する。一般的に導波管には、辺の長さや直径などの形状により決まる遮断周波数及び遮断波長が存在し、それ以下の周波数（それ以上の波長）の光は伝搬しないという性質がある。ホール１３２Ａの遮断波長は、主に開口径Ｄ１に依存し、開口径Ｄ１が小さいほど遮断波長も短くなる。なお、開口径Ｄ１は透過させたい光の波長よりも小さい値に設定される。
【００６０】
一方、光の波長以下の短い周期でホール１３２Ａが周期的に形成されている導体薄膜１３１Ａに光が入射すると、ホール１３２Ａの遮断波長より長い波長の光を透過する現象が発生する。この現象をプラズモンの異常透過現象という。この現象は、導体薄膜１３１Ａとその上層の層間膜１０２との境界において表面プラズモンが励起されることによって発生する。
【００６１】
ここで、図５を参照して、プラズモンの異常透過現象（表面プラズモン共鳴）の発生条件について説明する。
【００６２】
図５は、表面プラズモンの分散関係を示すグラフである。グラフの横軸は角波数ベクトルｋを示し、縦軸は角周波数ωを示している。ωpは導体薄膜１３１Ａのプラズマ周波数を示している。ωspは層間膜１０２と導体薄膜１３１Ａとの境界面における表面プラズマ周波数を示しており、次式（１）により表される。
【００６３】
【数１】
2018098342.tif 000003
【００６４】
εdは、層間膜１０２を構成する誘電体の誘電率を示している。
【００６５】
式（１）より、表面プラズマ周波数ωspは、プラズマ周波数ωpが高くなるほど高くなる。また、表面プラズマ周波数ωspは、誘電率εdが小さくなるほど、高くなる。
【００６６】
線Ｌ１は、光の分散関係（ライトライン）を示し、次式（２）で表される。
【００６７】
【数２】
2018098342.tif 000004
【００６８】
ｃは、光速を示している。
【００６９】
線Ｌ２は、表面プラズモンの分散関係を表し、次式（３）で表される。
【００７０】
【数３】
2018098342.tif 000005
【００７１】
εmは、導体薄膜１３１Ａの誘電率を示している。
【００７２】
線Ｌ２により表される表面プラズモンの分散関係は、角波数ベクトルｋが小さい範囲では、線Ｌ１で表されるライトラインに漸近し、角波数ベクトルｋが大きくなるにつれて、表面プラズマ周波数ωspに漸近する。
【００７３】
そして、次式（４）が成り立つとき、プラズモンの異常透過現象が発生する。
【００７４】
【数４】
2018098342.tif 000006
【００７５】
λは、入射光の波長を示している。θは、入射光の入射角を示している。Ｇx及びＧyは、次式（５）で表される。
【００７６】
｜Ｇx｜＝｜Ｇy｜＝２π／ａ0  ・・・（５）
【００７７】
ａ0は、導体薄膜１３１Ａのホール１３２Ａからなるホールアレイ構造の格子定数を示している。
【００７８】
式（４）の左辺は、表面プラズモンの角波数ベクトルを示し、右辺は、導体薄膜１３１Ａのホールアレイ周期の角波数ベクトルを示している。従って、表面プラズモンの角波数ベクトルと導体薄膜１３１Ａのホールアレイ周期の角波数ベクトルが等しくなるとき、プラズモンの異常透過現象が発生する。そして、このときのλの値が、プラズモンの共鳴波長（プラズモンフィルタ１２１Ａの透過波長）となる。
【００７９】
なお、式（４）の左辺の表面プラズモンの角波数ベクトルは、導体薄膜１３１Ａの誘電率εm及び層間膜１０２の誘電率εdにより決まる。一方、右辺のホールアレイ周期の角波数ベクトルは、光の入射角θ、及び、導体薄膜１３１Ａの隣接するホール１３２Ａ間のピッチ（ホールピッチ）Ｐ１により決まる。従って、プラズモンの共鳴波長及び共鳴周波数は、導体薄膜１３１Ａの誘電率εm、層間膜１０２の誘電率εd、光の入射角θ、及び、ホールピッチＰ１により決まる。なお、光の入射角が０°の場合、プラズモンの共鳴波長及び共鳴周波数は、導体薄膜１３１Ａの誘電率εm、層間膜１０２の誘電率εd、及び、ホールピッチＰ１により決まる。
【００８０】
従って、プラズモンフィルタ１２１Ａの透過帯域（プラズモンの共鳴波長）は、導体薄膜１３１Ａの材質及び膜厚、層間膜１０２の材質及び膜厚、ホールアレイのパターン周期（例えば、ホール１３２Ａ開口径Ｄ１及びホールピッチＰ１）等により変化する。特に、導体薄膜１３１Ａ及び層間膜１０２の材質及び膜厚が決まっている場合、プラズモンフィルタ１２１Ａの透過帯域は、ホールアレイのパターン周期、特にホールピッチＰ１により変化する。すなわち、ホールピッチＰ１が狭くなるにつれて、プラズモンフィルタ１２１Ａの透過帯域は短波長側にシフトし、ホールピッチＰ１が広くなるにつれて、プラズモンフィルタ１２１Ａの透過帯域は長波長側にシフトする。
【００８１】
図６は、ホールピッチＰ１を変化させた場合のプラズモンフィルタ１２１Ａの分光特性の例を示すグラフである。グラフの横軸は波長（単位はｎｍ）を示し、縦軸は感度（単位は任意単位）を示している。線Ｌ１１は、ホールピッチＰ１を２５０ｎｍに設定した場合の分光特性を示し、線Ｌ１２は、ホールピッチＰ１を３２５ｎｍに設定した場合の分光特性を示し、線Ｌ１３は、ホールピッチＰ１を５００ｎｍに設定した場合の分光特性を示している。
【００８２】
ホールピッチＰ１を２５０ｎｍに設定した場合、プラズモンフィルタ１２１Ａは、主に青色の波長帯域の光を透過する。ホールピッチＰ１を３２５ｎｍに設定した場合、プラズモンフィルタ１２１Ａは、主に緑色の波長帯域の光を透過する。ホールピッチＰ１を５００ｎｍに設定した場合、プラズモンフィルタ１２１Ａは、主に赤色の波長帯域の光を透過する。ただし、ホールピッチＰ１を５００ｎｍに設定した場合、プラズモンフィルタ１２１Ａは、後述する導波管モードにより、赤色より低波長の帯域の光も多く透過する。
【００８３】
図７は、ホールピッチＰ１を変化させた場合のプラズモンフィルタ１２１Ａの分光特性の他の例を示すグラフである。グラフの横軸は波長（単位はｎｍ）を示し、縦軸は感度（単位は任意単位）を示している。この例では、ホールピッチＰ１を２５０ｎｍから６２５ｎｍまで２５ｎｍ刻みで変化させた場合の１６種類のプラズモンフィルタ１２１Ａの分光特性の例を示している。
【００８４】
なお、プラズモンフィルタ１２１Ａの透過率は、主にホール１３２Ａの開口径Ｄ１により決まる。開口径Ｄ１が大きくなるほど透過率が高くなる一方、混色が発生しやすくなる。一般的に、開口率がホールピッチＰ１の５０％〜６０％になるように開口径Ｄ１を設定することが望ましい。
【００８５】
また、上述したように、プラズモンフィルタ１２１Ａの各ホール１３２Ａは、導波管として作用する。従って、プラズモンフィルタ１２１Ａのホールアレイのパターンによっては、分光特性において、表面プラズモン共鳴により透過される波長成分（プラズモンモードにおける波長成分）だけでなく、ホール１３２Ａ（導波管）を透過する波長成分（導波管モードにおける波長成分）が大きくなる場合がある。
【００８６】
図８は、図６の線Ｌ１３により表される分光特性と同様に、ホールピッチＰ１を５００ｎｍに設定した場合のプラズモンフィルタ１２１Ａの分光特性を示している。この例において、６３０ｎｍ付近の遮断波長より長波長側がプラズモンモードにおける波長成分であり、遮断波長より短波長側が導波管モードにおける波長成分である。
【００８７】
上述したように、遮断波長は、主にホール１３２Ａの開口径Ｄ１に依存し、開口径Ｄ１が小さいほど遮断波長も短くなる。そして、遮断波長とプラズモンモードにおけるピーク波長との間の差をより大きくするほど、プラズモンフィルタ１２１Ａの波長分解能特性が向上する。
【００８８】
また、上述したように、導体薄膜１３１Ａのプラズマ周波数ωpが高くなるほど、導体薄膜１３１Ａの表面プラズマ周波数ωspが高くなる。また、層間膜１０２の誘電率εdが小さくなるほど、表面プラズマ周波数ωspが高くなる。そして、表面プラズマ周波数ωspが高くなるほど、プラズモンの共鳴周波数をより高く設定することができ、プラズモンフィルタ１２１Ａの透過帯域（プラズモンの共鳴波長）をより短い波長帯域に設定することが可能になる。
【００８９】
従って、プラズマ周波数ωpがより小さい金属を導体薄膜１３１Ａに用いた方が、プラズモンフィルタ１２１Ａの透過帯域をより短い波長帯域に設定することが可能になる。例えば、アルミニウム、銀、金等が好適である。ただし、透過帯域を赤外光などの長い波長帯域に設定する場合には、銅なども用いることが可能である。
【００９０】
また、誘電率εdがより小さい誘電体を層間膜１０２に用いた方が、プラズモンフィルタ１２１Ａの透過帯域をより短い波長帯域に設定することが可能になる。例えば、ＳｉＯ２、Ｌｏｗ−Ｋ等が好適である。
【００９１】
また、図９は、導体薄膜１３１Ａにアルミニウムを用い、層間膜１０２にＳｉＯ２を用いた場合の導体薄膜１３１Ａと層間膜１０２の界面における表面プラズモンの伝搬特性を示すグラフである。グラフの横軸は光の波長（単位はｎｍ）を示し、縦軸は伝搬距離（単位はμｍ）を示している。また、線Ｌ２１は、界面方向の伝搬特性を示し、線Ｌ２２は、層間膜１０２の深さ方向（界面に垂直な方向）の伝搬特性を示し、線Ｌ２３は、導体薄膜１３１Ａの深さ方向（界面に垂直な方向）の伝搬特性を示している。
【００９２】
表面プラズモンの深さ方向の伝搬距離ΛSPP（λ）は、次式（６）により表される。
【００９３】
【数５】
2018098342.tif 000007
【００９４】
ｋSPPは、表面プラズモンが伝搬する物質の吸収係数を示す。εm（λ）は、波長λの光に対する導体薄膜１３１Ａの誘電率を示す。εd（λ）は、波長λの光に対する層間膜１０２の誘電率を示す。
【００９５】
従って、図９に示されるように、波長４００ｎｍの光に対する表面プラズモンは、ＳｉＯ２からなる層間膜１０２の表面から深さ方向に約１００ｎｍまで伝搬する。従って、層間膜１０２の厚みを１００ｎｍ以上に設定することにより、層間膜１０２と導体薄膜１３１Ａとの界面における表面プラズモンに、層間膜１０２の導体薄膜１３１Ａと反対側の面に積層された物質の影響が及ぶことが防止される。
【００９６】
また、波長４００ｎｍの光に対する表面プラズモンは、アルミニウムからなる導体薄膜１３１Ａの表面から深さ方向に約１０ｎｍまで伝搬する。従って、導体薄膜１３１Ａの厚みを１０ｎｍ以上に設定することにより、層間膜１０２と導体薄膜１３１Ａとの界面における表面プラズモンに、層間膜１０４の影響が及ぶことが防止される。
【００９７】
＜プラズモンフィルタのその他の例＞
次に、図１０乃至図１５を参照して、プラズモンフィルタのその他の例について説明する。
【００９８】
図１０Ａのプラズモンフィルタ１２１Ｂは、導体薄膜１３１Ｂにホール１３２Ｂが直行行列状に配置されたプラズモン共鳴体により構成されている。プラズモンフィルタ１２１Ｂにおいては、例えば、隣接するホール１３２Ｂ間のピッチＰ２により透過帯域が変化する。
【００９９】
また、プラズモン共鳴体において、全てのホールが導体薄膜を貫通する必要はなく、一部のホールを導体薄膜を貫通しない非貫通穴により構成しても、プラズモン共鳴体はフィルタとして機能する。
【０１００】
例えば、図１０Ｂには、導体薄膜１３１Ｃに貫通穴からなるホール１３２Ｃ、及び、非貫通穴からなるホール１３２Ｃ’がハニカム状に配置されたプラズモン共鳴体により構成されたプラズモンフィルタ１２１Ｃの平面図および断面図（平面図におけるＡ−Ａ’での断面図）が示されている。すなわち、プラズモンフィルタ１２１Ｃには、貫通穴からなるホール１３２Ｃと非貫通穴からなるホール１３２Ｃ’とが周期的に配置されている。
【０１０１】
さらに、プラズモンフィルタとしては、基本的に単層のプラズモン共鳴体が使用されるが、例えば、２層のプラズモン共鳴体により構成することもできる。
【０１０２】
例えば、図１１に示されているプラズモンフィルタ１２１Ｄは、２層のプラズモンフィルタ１２１Ｄ−１及びプラズモンフィルタ１２１Ｄ−２により構成されている。プラズモンフィルタ１２１Ｄ−１及びプラズモンフィルタ１２１Ｄ−２は、図４のプラズモンフィルタ１２１Ａを構成するプラズモン共鳴体と同様に、ホールがハニカム状に配置された構造となっている。
【０１０３】
また、プラズモンフィルタ１２１Ｄ−１とプラズモンフィルタ１２１Ｄ−２との間隔Ｄ２は、透過帯域のピーク波長の１／４程度とすることが好適である。また、設計自由度を考慮すると、間隔Ｄ２は、透過帯域のピーク波長の１／２以下がより好適である。
【０１０４】
なお、プラズモンフィルタ１２１Ｄのように、プラズモンフィルタ１２１Ｄ−１及びプラズモンフィルタ１２１Ｄ−２において同一のパターンでホールが配置されるようにする他、例えば、２層のプラズモン共鳴体構造において互いに相似するパターンでホールが配置されていてもよい。また、２層のプラズモン共鳴体構造において、ホールアレイ構造とドットアレイ構造（後述）とが反転するようなパターンでホールとドットとが配置されていてもよい。さらに、プラズモンフィルタ１２１Ｄは２層構造となっているが、３層以上の多層化も可能である。
【０１０５】
また、以上では、ホールアレイ構造のプラズモン共鳴体によるプラズモンフィルタの構成例を示したが、プラズモンフィルタとして、ドットアレイ構造のプラズモン共鳴体を採用してもよい。
【０１０６】
図１２を参照して、ドットアレイ構造のプラズモンフィルタについて説明する。
【０１０７】
図１２Ａのプラズモンフィルタ１２１Ａ’は、図４のプラズモンフィルタ１２１Ａのプラズモン共鳴体に対してネガポジ反転した構造、すなわち、ドット１３３Ａが誘電体層１３４Ａにハニカム状に配置されたプラズモン共鳴体により構成されている。各ドット１３３Ａ間には、誘電体層１３４Ａが充填されている。
【０１０８】
プラズモンフィルタ１２１Ａ’は、所定の波長帯域の光を吸収するため、補色系のフィルタとして用いられる。プラズモンフィルタ１２１Ａ’が吸収する光の波長帯域（以下、吸収帯域と称する）は、隣接するドット１３３Ａ間のピッチ（以下、ドットピッチと称する）Ｐ３等により変化する。また、ドットピッチＰ３に合わせて、ドット１３３Ａの径Ｄ３が調整される。
【０１０９】
図１２Ｂのプラズモンフィルタ１２１Ｂ’は、図１０Ａのプラズモンフィルタ１２１Ｂのプラズモン共鳴体に対してネガポジ反転した構造、すなわち、ドット１３３Ｂが誘電体層１３４Ｂに直行行列状に配置されたプラズモン共鳴体構造により構成されている。各ドット１３３Ｂ間には、誘電体層１３４Ｂが充填されている。
【０１１０】
プラズモンフィルタ１２１Ｂ’の吸収帯域は、隣接するドット１３３Ｂ間のドットピッチＰ４等により変化する。また、ドットピッチＰ４に合わせて、ドット１３３Ｂの径Ｄ３が調整される。
【０１１１】
図１３は、図１２Ａのプラズモンフィルタ１２１Ａ’のドットピッチＰ３を変化させた場合の分光特性の例を示すグラフである。グラフの横軸は波長（単位はｎｍ）を示し、縦軸は透過率を示している。線Ｌ３１は、ドットピッチＰ３を３００ｎｍに設定した場合の分光特性を示し、線Ｌ３２は、ドットピッチＰ３を４００ｎｍに設定した場合の分光特性を示し、線Ｌ３３は、ドットピッチＰ３を５００ｎｍに設定した場合の分光特性を示している。
【０１１２】
この図に示されるように、ドットピッチＰ３が狭くなるにつれて、プラズモンフィルタ１２１Ａ’の吸収帯域は短波長側にシフトし、ドットピッチＰ３が広くなるにつれて、プラズモンフィルタ１２１Ａ’の吸収帯域は長波長側にシフトする。
【０１１３】
なお、ホールアレイ構造及びドットアレイ構造のいずれのプラズモンフィルタにおいても、ホール又はドットの平面方向のピッチを調整するだけで、透過帯域又は吸収帯域を調整することができる。従って、例えば、リソグラフィ工程においてホール又はドットのピッチを調整するだけで、画素毎に透過帯域又は吸収帯域を個別に設定することが可能であり、より少ない工程でフィルタの多色化が可能になる。
【０１１４】
また、プラズモンフィルタの厚さは、有機材料系のカラーフィルタとほぼ同様の約１００〜５００ｎｍ程度であり、プロセスの親和性が良い。
【０１１５】
また、狭帯域フィルタＮＢには、図１４に示されるＧＭＲ（Guided Mode Resonant）を用いたプラズモンフィルタ１５１を用いることも可能である。
【０１１６】
プラズモンフィルタ１５１においては、上から順に、導体層１６１、ＳｉＯ２膜１６２、ＳｉＮ膜１６３、ＳｉＯ２基板１６４が積層されている。導体層１６１は、例えば、図３の狭帯域フィルタ層１０３に含まれ、ＳｉＯ２膜１６２、ＳｉＮ膜１６３、及び、ＳｉＯ２基板１６４は、例えば、図３の層間膜１０４に含まれる。
【０１１７】
導体層１６１には、例えばアルミニウムからなる矩形の導体薄膜１６１Ａが、所定のピッチＰ５で、導体薄膜１６１Ａの長辺側が隣接するように並べられている。そして、ピッチＰ５等によりプラズモンフィルタ１５１の透過帯域が変化する。
【０１１８】
図１５は、ピッチＰ５を変化させた場合のプラズモンフィルタ１５１の分光特性の例を示すグラフである。グラフの横軸は波長（単位はｎｍ）を示し、縦軸は透過率を示している。この例では、ピッチＰ５を２８０ｎｍから４８０ｎｍまで４０ｎｍ刻みで６種類に変化させるとともに、隣接する導体薄膜１６１Ａの間のスリットの幅をピッチＰ５の１／４に設定した場合の分光特性の例を示している。また、透過帯域のピーク波長が最も短い波形が、ピッチＰ５を２８０ｎｍに設定した場合の分光特性を示し、ピッチＰ５が広くなるにつれて、ピーク波長が長くなっている。すなわち、ピッチＰ５が狭くなるにつれて、プラズモンフィルタ１５１の透過帯域は短波長側にシフトし、ピッチＰ５が広くなるにつれて、プラズモンフィルタ１５１の透過帯域は長波長側にシフトする。
【０１１９】
このＧＭＲを用いたプラズモンフィルタ１５１も、上述したホールアレイ構造及びドットアレイ構造のプラズモンフィルタと同様に、有機材料系のカラーフィルタと親和性が良い。
【０１２０】
＜撮像素子の第２の実施形態＞
次に、図１６乃至図２１を参照して、図１の撮像素子１２の第２の実施形態について説明する。
【０１２１】
図１６は、撮像素子１２の第２の実施形態である撮像素子１２Ｂの断面の構成例を模式的に示している。なお、図中、図３の撮像素子１２Ａと対応する部分には、同じ符号を付してあり、その説明は適宜省略する。
【０１２２】
撮像素子１２Ｂは、撮像素子１２Ａと比較して、オンチップマイクロレンズ１０１と層間膜１０２の間に、カラーフィルタ層１０７が積層されている点が異なる。
【０１２３】
撮像素子１２Ｂの狭帯域フィルタ層１０３においては、全ての画素５１ではなく、一部の画素５１にのみ狭帯域フィルタＮＢが設けられている。狭帯域フィルタＮＢの透過帯域の種類（バンド数）は任意であり、例えば、１以上に設定される。
【０１２４】
カラーフィルタ層１０７には、カラーフィルタが各画素５１に設けられる。例えば、狭帯域フィルタＮＢが設けられていない画素５１においては、一般的な赤色フィルタＲ、緑色フィルタＧ、及び、青色フィルタＢ（不図示）のいずれかが設けられている。これにより、例えば、赤色フィルタＲが設けられたＲ画素、緑色フィルタＧが設けられたＧ画素、青色フィルタが設けられたＢ画素、及び、狭帯域フィルタＮＢが設けられたＭＳ画素が、画素アレイ３１に配列される。
【０１２５】
また、狭帯域フィルタＮＢが設けられている画素５１においては、カラーフィルタ層１０７に透過フィルタＰが設けられる。透過フィルタＰは、後述するように、同じ画素５１の狭帯域フィルタＮＢの透過帯域を含む波長帯域の光を透過する光学フィルタ（ローパスフィルタ、ハイパスフィルタ、又は、バンドパスフィルタ）により構成される。
【０１２６】
なお、カラーフィルタ層１０７に設けられるカラーフィルタは、有機材料系及び無機材料系のいずれであってもよい。
【０１２７】
有機材料系のカラーフィルタには、例えば、合成樹脂若しくは天然蛋白を用いた染色着色系、及び、顔料色素若しくは染料色素を用いた色素含有系がある。
【０１２８】
無機材料系のカラーフィルタには、例えば、ＴｉＯ２、ＺｎＳ、ＳｉＮ、ＭｇＦ２、ＳｉＯ２、Ｌｏｗ−ｋ等の材料が用いられる。また、無機材料系のカラーフィルタの形成には、例えば、蒸着、スパッタリング、ＣＶＤ（Chemical Vapor Deposition）成膜等の手法が用いられる。
【０１２９】
また、層間膜１０２は、図９を参照して上述したように、層間膜１０２と狭帯域フィルタ層１０３との界面における表面プラズモンに、カラーフィルタ層１０７の影響が及ぶことが防止可能な膜厚に設定される。
【０１３０】
ここで、カラーフィルタ層１０７に設けられた透過フィルタＰにより、フレアの発生が抑制される。この点について、図１７及び図１８を参照して説明する。
【０１３１】
図１７は、カラーフィルタ層１０７が設けられていない図２の撮像素子１２Ａを用いた撮像装置１０におけるフレアの発生の様子を模式的に示している。
【０１３２】
この例において、撮像素子１２Ａは、半導体チップ２０３に設けられている。具体的には、半導体チップ２０３は、基板２１３上に実装され、周囲がシールガラス２１１及び樹脂２１２により覆われている。そして、図１の光学系１１に設けられているレンズ２０１及びＩＲカットフィルタ２０２、並びに、シールガラス２１１を透過した光が、撮像素子１２Ａに入射する。
【０１３３】
ここで、撮像素子１２Ａの狭帯域フィルタ層１０３の狭帯域フィルタＮＢがプラズモンフィルタからなる場合、プラズモンフィルタには金属製の導体薄膜が形成されている。この導体薄膜は反射率が高いため、透過帯域以外の波長の光を反射しやすい。そして、導体薄膜で反射された光の一部が、例えば、図１７に示されるように、シールガラス２１１、ＩＲカットフィルタ２０２、又は、レンズ２０１で反射され、撮像素子１２Ａに再入射する。これらの再入射光によりフレアが発生する。特にホールアレイ構造を用いたプラズモンフィルタは、開口率が低いため、フレアが発生しやすい。
【０１３４】
この反射光を防止するために、例えば、導体薄膜とは異なる金属や誘電率の高い材料からなる反射防止膜を使用することが考えられる。しかし、プラズモンフィルタは、表面プラズモン共鳴を利用しており、そのような反射防止膜が導体薄膜の表面に触れてしまうと、プラズモンフィルタの特性が劣化してしまったり、所望の特性が得づらくなったりする可能性がある。
【０１３５】
一方、図１８は、カラーフィルタ層１０７が設けられている図１６の撮像素子１２Ｂを用いた撮像装置１０におけるフレアの発生の様子を模式的に示している。なお、図中、図１７と対応する部分には、同じ符号を付してある。
【０１３６】
図１８の例は、図１７の例と比較して、半導体チップ２０３の代わりに半導体チップ２２１が設けられている点が異なる。半導体チップ２２１は、半導体チップ２０３と比較して、撮像素子１２Ａの代わりに撮像素子１２Ｂが設けられている点が異なる。
【０１３７】
上述したように、撮像素子１２Ｂにおいては、狭帯域フィルタＮＢより上方（光の入射側）に透過フィルタＰが設けられている。従って、撮像素子１２Ｂに入射した光は、透過フィルタＰにより所定の波長帯域が遮断されてから狭帯域フィルタＮＢに入射するため、狭帯域フィルタＮＢへの入射光の光量が抑制される。その結果、狭帯域フィルタＮＢ（プラズモンフィルタ）の導体薄膜による反射光の光量も低減するため、フレアが低減される。
【０１３８】
図１９乃至図２１は、狭帯域フィルタＮＢの分光特性と、狭帯域フィルタＮＢの上方に配置される透過フィルタＰの分光特性の例を示している。なお、図１９乃至図２１のグラフの横軸は波長（単位はｎｍ）を示し、縦軸は感度（単位は任意単位）を示している。
【０１３９】
図１９の線Ｌ４１は、狭帯域フィルタＮＢの分光特性を示している。この狭帯域フィルタＮＢの分光特性のピーク波長は、約４３０ｎｍ付近である。線Ｌ４２は、ローパス型の透過フィルタＰの分光特性を示している。線Ｌ４３は、ハイパス型の透過フィルタＰの分光特性を示している。線Ｌ４４は、バンドパス型の透過フィルタＰの分光特性を示している。いずれの透過フィルタＰの感度も、狭帯域フィルタＮＢの分光特性のピーク波長を含む所定の波長帯域において、狭帯域フィルタＮＢの感度を上回っている。従って、いずれの透過フィルタＰを用いても、狭帯域フィルタＮＢの透過帯域の光をほぼ減衰させずに、狭帯域フィルタＮＢに入射する入射光の光量を低減させることができる。
【０１４０】
図２０の線Ｌ５１は、狭帯域フィルタＮＢの分光特性を示している。この狭帯域フィルタＮＢの分光特性のピーク波長は、約５３０ｎｍ付近である。線Ｌ５２は、ローパス型の透過フィルタＰの分光特性を示している。線Ｌ５３は、ハイパス型の透過フィルタＰの分光特性を示している。線Ｌ５４は、バンドパス型の透過フィルタＰの分光特性を示している。いずれの透過フィルタの感度も、狭帯域フィルタＮＢの分光特性のピーク波長を含む所定の波長帯域において、狭帯域フィルタＮＢの感度を上回っている。従って、いずれの透過フィルタＰを用いても、狭帯域フィルタＮＢの透過帯域の光をほぼ減衰させずに、狭帯域フィルタＮＢに入射する入射光の光量を低減させることができる。
【０１４１】
図２１の線Ｌ６１は、狭帯域フィルタＮＢの分光特性を示している。この狭帯域フィルタＮＢの分光特性のプラズモンモードにおけるピーク波長は、約６７０ｎｍ付近である。線Ｌ６２は、ローパス型の透過フィルタＰの分光特性を示している。線Ｌ６３は、ハイパス型の透過フィルタＰの分光特性を示している。線Ｌ６４は、バンドパス型の透過フィルタＰの分光特性を示している。いずれの透過フィルタＰの感度も、狭帯域フィルタＮＢの分光特性の遮断波長である約６３０ｎｍ以上のプラズモンモードのピーク波長を含む所定の波長帯域において、狭帯域フィルタＮＢの感度を上回っている。従って、いずれの透過フィルタＰを用いても、狭帯域フィルタＮＢのプラズモンモードにおける透過帯域の光をほぼ減衰させずに、狭帯域フィルタＮＢに入射する入射光の光量を低減させることができる。ただし、ハイパス型又はバンドパス型の透過フィルタＰを用いた方が、狭帯域フィルタＮＢの導波管モードの波長帯域の光を遮断できるため、狭帯域のフィルタ特性としてより望ましい。
【０１４２】
なお、赤色フィルタＲ、緑色フィルタＧ、又は、青色フィルタＢの透過帯域が、下層の狭帯域フィルタＮＢの透過帯域を含む場合、それらのフィルタを透過フィルタＰに用いてもよい。
【０１４３】
また、図１６の例では、一部の画素５１にのみ狭帯域フィルタＮＢを設ける例を示したが、全ての画素５１に狭帯域フィルタＮＢを設けることも可能である。この場合、画素５１毎に、その画素５１の狭帯域フィルタＮＢの透過帯域を含む透過帯域を有する透過フィルタＰをカラーフィルタ層１０７に設けるようにすればよい。
【０１４４】
さらに、カラーフィルタ層１０７のカラーフィルタの色の組合せは上述した例に限定されるものではなく、任意に変更することが可能である。
【０１４５】
また、上述したフレア対策の必要がない場合には、例えば、狭帯域フィルタＮＢの上層に透過フィルタＰを設けないようにしたり、全ての波長の光を透過するダミーのフィルタを設けたりしてもよい。
【０１４６】
＜撮像素子の第３の実施形態＞
次に、図２２を参照して、図１の撮像素子１２の第３の実施形態について説明する。
【０１４７】
図２２は、撮像素子１２の第３の実施形態である撮像素子１２Ｃの断面の構成例を模式的に示している。なお、図中、図３の撮像素子１２Ａと対応する部分には、同じ符号を付してあり、その説明は適宜省略する。
【０１４８】
撮像素子１２Ｃは、撮像素子１２Ａと比較して、狭帯域フィルタ層１０３の代わりに、フィルタ層１０８が設けられている点が異なる。また、撮像素子１２Ｃは、図１６の撮像素子１２Ｂと比較して、狭帯域フィルタＮＢとカラーフィルタ（例えば、赤色フィルタＲ、緑色フィルタＧ、青色フィルタＢ）が同じフィルタ層１０８に設けられている点が異なる。
【０１４９】
これにより、撮像素子１２Ｃの画素アレイ３１にＲ画素、Ｇ画素、Ｂ画素、及び、ＭＳ画素を配置する場合に、カラーフィルタ層１０７を省略することができる。
【０１５０】
なお、有機材料系のカラーフィルタを用いる場合、熱によるカラーフィルタの損傷等を防止するために、例えば、狭帯域フィルタＮＢが先に形成され、シンター処理等の高温の最終熱処理が行われた後、カラーフィルタが形成される。一方、無機材料系のカラーフィルタを用いる場合、基本的に上記の形成順の制約は必要ない。
【０１５１】
また、図１６の撮像素子１２Ｂのようにフレア対策を施す場合、撮像素子１２Ｂと同様に、オンチップマイクロレンズ１０１と層間膜１０２の間に、カラーフィルタ層を積層するようにしてもよい。この場合、フィルタ層１０８に狭帯域フィルタＮＢが設けられている画素５１においては、カラーフィルタ層に上述した透過フィルタＰが設けられる。一方、フィルタ層１０８にカラーフィルタが設けられている画素５１においては、カラーフィルタ層にフィルタが設けられなかったり、又は、全ての波長の光を透過するダミーのフィルタ、若しくは、フィルタ層１０８と同じ色のカラーフィルタが設けられたりする。
【０１５２】
＜＜２．第２の実施形態＞＞
次に、図２３乃至図３２を参照して、本技術の第２の実施形態について説明する。
【０１５３】
＜プラズモンフィルタのピッチ及び厚みと分光特性との関係＞
図２３乃至図２６は、プラズモンフィルタのピッチ及び厚みと分光特性との関係を示すグラフである。
【０１５４】
図２３乃至図２６の各グラフは、導体薄膜にアルミニウムを用い、層間膜にＳｉＯ２を用いた場合のプラズモンフィルタの分光特性の例を示している。各グラフの横軸は波長（単位はｎｍ）を示し、縦軸は感度（単位は任意単位）を示している。また、図２３乃至図２６は、ホールピッチを２５０ｎｍ、３５０ｎｍ、４５０ｎｍ、５５０ｎｍに設定した場合の分光特性をそれぞれ示している。また、各グラフの実線の波形は導体薄膜の膜厚を１００ｎｍに設定した場合の分光特性を示し、点線の波形は導体薄膜の膜厚を１５０ｎｍに設定した場合の分光特性を示し、一点鎖線の波形は導体薄膜の膜厚を２００ｎｍに設定した場合の分光特性を示し、二点鎖線の波形は導体薄膜の膜厚を２５０ｎｍに設定した場合の分光特性を示している。
【０１５５】
各グラフに示されるように、基本的に、ホールピッチが狭くなり、透過帯域が短波長になるにつれて、透過帯域のピーク幅及び半値幅は狭くなるが、感度（ピーク値）は低下する。逆に、基本的に、ホールピッチが広くなり、透過帯域が長波長になるにつれて、感度（ピーク値）は上がるが、透過帯域のピーク幅及び半値幅は広くなる。なお、ホールピッチが３５０ｎｍ以上になると、ホールピッチによる感度の変化は小さくなる。
【０１５６】
従って、例えば、プラズモンフィルタの透過帯域が短波長になると、感度の低下により、ＳＮ比が低下するおそれがある。また、例えば、プラズモンフィルタの透過帯域が長波長になると、透過帯域のピーク幅及び半値幅が広くなることにより、混色が発生するおそれがある。その結果、狭帯域光の検出精度が低下するおそれがある。
【０１５７】
一方、各グラフに示されるように、基本的に、プラズモンフィルタの導体薄膜が薄くなるにつれて、透過帯域のピーク幅及び半値幅は広くなるが、感度（ピーク値）は上がる。逆に、基本的に、プラズモンフィルタの導体薄膜が厚くなるにつれて、感度（ピーク値）は低下するが、透過帯域のピーク幅及び半値幅は狭くなる。
【０１５８】
従って、プラズモンフィルタのホールピッチ（透過帯域）に合わせて、分光特性に基づいて、導体薄膜の膜厚を調整することが望ましい。基本的には、プラズモンフィルタのホールピッチが狭くなり、透過帯域が短波長になるにつれて、透過帯域のピーク幅及び半値幅が少し広くなっても、導体薄膜を薄くし、感度を上げることが望ましい。一方、プラズモンフィルタのホールピッチが広くなり、透過帯域が長波長になるにつれて、感度が少し低下しても、導体薄膜を厚くし、透過帯域のピーク幅及び半値幅を狭くすることが望ましい。
【０１５９】
なお、図２３の分光特性のピーク及び波形から、ホールピッチが２５０ｎｍの場合、導体薄膜の膜厚を１５０ｎｍに設定するのが望ましい。図２４の分光特性のピーク及び波形から、ホールピッチが３５０ｎｍの場合、導体薄膜の膜厚を２００ｎｍに設定するのが望ましい。図２５の分光特性のピーク及び波形から、ホールピッチが４５０ｎｍの場合、導体薄膜の膜厚を２５０ｎｍに設定するのが望ましい。図２６の分光特性のピーク及び波形から、ホールピッチが５５０ｎｍの場合、導体薄膜の膜厚を２５０ｎｍに設定するのが望ましい。
【０１６０】
＜プラズモンフィルタの第１の実施形態＞
次に、図２７乃至図２９を参照して、ホールピッチ（透過帯域）に合わせて導体薄膜の膜厚を調整したプラズモンフィルタの第１の実施形態について説明する。
【０１６１】
図２７は、図３の撮像素子１２Ａ又は図１６の撮像素子１２Ｂの層間膜１０２、狭帯域フィルタ層１０３、及び、層間膜１０４の構成例の一部を模式的に示す断面図である。
【０１６２】
狭帯域フィルタ層１０３には、プラズモンフィルタを構成する導体薄膜３０１が形成されている。導体薄膜３０１は、例えば、アルミニウムからなる。また、層間膜１０２及び層間膜１０４は、例えば、ＳｉＯ２からなる。
【０１６３】
また、画素５１−１における導体薄膜３０１の隣接するホール３０２Ａ間のピッチＰ１１が、画素５１−２における導体薄膜３０１の隣接するホール３０２Ｂ間のピッチＰ１２より広くなっている。従って、画素５１−１のプラズモンフィルタの透過帯域の方が、画素５１−２のプラズモンフィルタの透過帯域より長波長である。
【０１６４】
一方、導体薄膜３０１の膜厚は、画素５１−１の方が画素５１−２より厚くなっている。例えば、画素５１−１における導体薄膜３０１の膜厚は２５０ｎｍとされ、画素５１−２における導体薄膜３０１の膜厚は１００ｎｍとされる。これにより、透過帯域が長波長側の画素５１−１に対するプラズモンフィルタの透過帯域のピーク幅及び半値幅を狭くすることができる。一方、透過帯域が短波長側の画素５１−２に対するプラズモンフィルタの感度を上げることができる。
【０１６５】
次に、図２８及び図２９を参照して、図２７のプラズモンフィルタの製造方法の例について説明する。なお、各工程において示されている垂直方向の点線は、画素５１−１と画素５１−２との間の境界（以下、画素境界と称する）を示している。
【０１６６】
工程１において、例えばＳｉＯ２からなり、層間膜１０４を構成する酸化膜３２１の上に、例えばアルミニウムからなり、導体薄膜３０１を構成する金属膜３２２が成膜される。金属膜３２２の膜厚は、例えば１５０ｎｍとされる。
【０１６７】
工程２において、画素５１−１の金属膜３２２の上にレジスト３２３が塗布される。このとき、画素境界とレジスト３２３の間に隙間が設けられる。この隙間の幅は、例えば、工程５において成膜される金属膜３２２の膜厚以下に設定される。例えば、工程５において成膜される金属膜３２２の膜厚が１００ｎｍの場合、そのカバレッジが１００％のとき、隙間の幅は１００ｎｍに設定され、そのカバレッジが５０％のとき、隙間の幅は５０ｎｍに設定される。
【０１６８】
工程３において、ドライエッチングにより、レジスト３２３が塗布されている部分以外の金属膜３２２が除去される。このとき、画素境界とレジスト３２３の間の隙間により、画素境界と金属膜３２２との間に隙間が生じる。
【０１６９】
工程４において、レジスト３２３が剥離される。
【０１７０】
工程５において、酸化膜３２１及び金属膜３２２の上にさらに金属膜３２２が成膜される。このとき成膜される金属膜３２２の膜厚は、例えば１００ｎｍとされる。従って、画素５１−１の金属膜３２２の膜厚は２５０ｎｍとなり、画素５１−２の金属膜３２２の膜厚は１００ｎｍとなる。また、このとき、工程３において生じた画素境界と金属膜３２２との間の隙間が埋められる。
【０１７１】
工程６において、エッチングにより、金属膜３２２にホール３０２Ａ及びホール３０２Ｂが形成される。これにより、図２７の導体薄膜３０１が形成される。なお、深さの異なるホールの加工を１回で行うことが困難な場合、浅いホールと深いホールとで複数回に分けて加工してもよい。
【０１７２】
その後、図示は省略するが、ＳｉＯ２からなる酸化膜が成膜され、ホール３０２Ａ及びホール３０２Ｂに酸化膜が充填されるとともに、層間膜１０２が形成される。
【０１７３】
＜プラズモンフィルタの第２の実施形態＞
次に、図３０乃至図３２を参照して、ホールピッチ（透過帯域）に合わせて導体薄膜の膜厚を調整したプラズモンフィルタの第２の実施形態について説明する。
【０１７４】
図３０は、図３の撮像素子１２Ａ又は図１６の撮像素子１２Ｂの層間膜１０２、狭帯域フィルタ層１０３、及び、層間膜１０４の構成例の一部を模式的に示す断面図である。
【０１７５】
図３０の例を図２７の例と比較すると、狭帯域フィルタ層１０３において、導体薄膜３０１の代わりに導体薄膜３５１が形成されている点が異なる。
【０１７６】
導体薄膜３５１のホール３５２Ａ及びホール３５２Ｂの径、及び、ホールピッチは、図２７の導体薄膜３０１のホール３０２Ａ及びホール３０２Ｂの径、及び、ホールピッチとそれぞれ等しい。また、画素５１−１の導体薄膜３５１の膜厚、及び、画素５１−２の導体薄膜３５１の膜厚は、図２７の画素５１−１の導体薄膜３０１の膜厚、及び、画素５１−２の導体薄膜３０１の膜厚とそれぞれ等しい。ただし、画素５１−２の導体薄膜３５１の深さ方向の位置が、図２７の画素５１−２の導体薄膜３０１の位置と異なっている。これは、プラズモンフィルタの製造工程の違いに起因する。
【０１７７】
次に、図３１及び図３２を参照して、図３０のプラズモンフィルタの製造方法の例について説明する。
【０１７８】
工程１において、例えばＳｉＯ２からなり、層間膜１０４を構成する酸化膜３７１の上に、レジスト３７２が塗布される。レジスト３７２は、画素５１−１において、酸化膜３７１の表面を全て覆い、画素５１−２において、酸化膜３７１の表面のホール３５２Ｂに対応する部分を覆う。
【０１７９】
工程２において、ドライエッチングにより、画素５１−２の酸化膜３７１の導体薄膜３５１が形成される部分（ホール３５２Ｂに対応する部分以外）に溝が形成される。この溝の深さは、例えば１００ｎｍとされる。
【０１８０】
工程３において、レジスト３７２が剥離される。
【０１８１】
工程４において、酸化膜３７１の上に、レジスト３７３が塗布される。レジスト３７３は、画素５１−２において、酸化膜３７１の表面を全て覆い、画素５１−１において、酸化膜３７１の表面のホール３５２Ａに対応する部分を覆う。
【０１８２】
工程５において、ドライエッチングにより、画素５１−１の酸化膜３７１の導体薄膜３５１が形成される部分（ホール３５２Ａに対応する部分以外）に溝が形成される。この溝の深さは、例えば２５０ｎｍとされる。
【０１８３】
工程６において、レジスト３７３が剥離される。
【０１８４】
工程７において、酸化膜３７１の表面に金属膜３７４が成膜される。これにより、画素５１−１及び画素５１−２の酸化膜３７１の溝に金属膜３７４が充填される。
【０１８５】
工程８において、ＣＭＰ（Chemical Mechanical Polishing）により、酸化膜３７１の表面が現れるまで金属膜３７４が研磨される。すなわち、酸化膜３７１の表面まで金属膜３７４が除去される。これにより、金属膜３７４からなる導体薄膜３５１（図３０）が形成される。
【０１８６】
その後、図示は省略するが、ＳｉＯ２からなる酸化膜が成膜され、層間膜１０２が形成される。
【０１８７】
なお、画素５１−１と画素５１−２の酸化膜３７１の溝を形成する順序を逆にしてもよい。
【０１８８】
また、以上の説明では、図３の撮像素子１２Ａ又は図１６の撮像素子１２Ｂの狭帯域フィルタ層１０３にプラズモンフィルタを形成する場合を例に挙げたが、図２２の撮像素子１２Ｃのフィルタ層１０８にプラズモンフィルタを形成する場合も同様に、ホールピッチ（透過帯域）に応じて導体薄膜の膜厚を変えることが可能である。
【０１８９】
＜＜３．変形例＞＞
以下、上述した本技術の実施形態の変形例について説明する。
【０１９０】
例えば、ホールピッチ（透過帯域）に応じて、導体薄膜の膜厚を３種類以上設定するようにしてもよい。
【０１９１】
また、ドットアレイ構造のプラズモンフィルタにおいても、ドットピッチ（吸収帯域）に応じて、導体薄膜（ドット）の膜厚を変えるようにしてもよい。
【０１９２】
具体的には、図１３に示されるように、基本的に、ドットピッチが狭くなり、吸収帯域が短波長になるにつれて、吸収帯域のピーク幅及び半値幅は狭くなるが、吸収率（吸収帯域の負のピーク値）は低下する。逆に、基本的に、ドットピッチが広くなり、吸収帯域が長波長になるにつれて、吸収率（吸収帯域の負のピーク値）は向上するが、吸収帯域のピーク幅及び半値幅は広くなる。
【０１９３】
また、基本的に、ドットを構成する導体薄膜が薄くなるにつれて、吸収率は低下するが、吸収帯域のピーク幅及び半値幅は狭くなる。逆に、基本的に、ドットを構成する導体薄膜が厚くなるにつれて、吸収帯域のピーク幅及び半値幅は広くなるが、吸収率は向上する。
【０１９４】
従って、例えば、プラズモンフィルタのドットピッチが狭くなり、吸収帯域が短波長になるにつれて、吸収帯域のピーク幅及び半値幅が少し広くなっても、導体薄膜を厚くし、吸収率を上げることが望ましい。一方、プラズモンフィルタのドットピッチが広くなり、吸収帯域が長波長になるにつれて、吸収率が少し低下しても、導体薄膜を薄くし、透過帯域のピーク幅及び半値幅を狭くすることが望ましい。
【０１９５】
さらに、例えば、同じ透過帯域（ホールピッチ）又は吸収帯域（ドットピッチ）のプラズモンフィルタに対して、導体薄膜の膜厚を画素毎に変えるようにしてもよい。これにより、透過帯域又は吸収帯域が同じであるが、感度又は吸収率が異なる画素を設けることが可能になる。従って、例えば、一部の画素の狭帯域光の検出精度を向上させることができる。
【０１９６】
また、本技術は、上述した裏面照射型のＣＭＯＳイメージセンサだけでなく、プラズモンフィルタを用いる他の撮像素子に適用することが可能である。例えば、表面照射型のＣＭＯＳイメージセンサ、ＣＣＤ（Charge Coupled Device）イメージセンサ、有機光電変換膜や量子ドット構造などを内包したフォトコンダクタ構造のイメージセンサ等に、本技術を適用することができる。
【０１９７】
また、本技術は、例えば、図３３に示される積層型の固体撮像装置に適用することが可能である。
【０１９８】
図３３Ａは、非積層型の固体撮像装置の概略構成例を示している。固体撮像装置１０１０は、図３３Ａに示すように、１枚のダイ（半導体基板）１０１１を有する。このダイ１０１１には、画素がアレイ状に配置された画素領域１０１２と、画素の駆動その他の各種の制御を行う制御回路１０１３と、信号処理するためのロジック回路１０１４とが搭載されている。
【０１９９】
図３３Ｂ及び図３３Ｃは、積層型の固体撮像装置の概略構成例を示している。固体撮像装置１０２０は、図３３Ｂ及び図３３Ｃに示すように、センサダイ１０２１とロジックダイ１０２２との２枚のダイが積層され、電気的に接続されて、１つの半導体チップとして構成されている。
【０２００】
図３３Ｂでは、センサダイ１０２１には、画素領域１０１２と制御回路１０１３が搭載され、ロジックダイ１０２２には、信号処理を行う信号処理回路を含むロジック回路１０１４が搭載されている。
【０２０１】
図３３Ｃでは、センサダイ１０２１には、画素領域１０１２が搭載され、ロジックダイ１０２４には、制御回路１０１３及びロジック回路１０１４が搭載されている。
【０２０２】
さらに、本技術は、プラズモンフィルタ以外の金属薄膜を用いた金属薄膜フィルタに適用することができ、また応用例として、半導体材料を用いたフォトニック結晶への適用の可能性も考えられる。
【０２０３】
＜＜４．応用例＞＞
次に、本技術の応用例について説明する。
【０２０４】
＜本技術の応用例＞
例えば、本技術は、図３４に示されるように、可視光や、赤外光、紫外光、Ｘ線等の光をセンシングする様々なケースに応用することができる。
【０２０５】
・デジタルカメラや、カメラ機能付きの携帯機器等の、鑑賞の用に供される画像を撮影する装置
・自動停止等の安全運転や、運転者の状態の認識等のために、自動車の前方や後方、周囲、車内等を撮影する車載用センサ、走行車両や道路を監視する監視カメラ、車両間等の測距を行う測距センサ等の、交通の用に供される装置
・ユーザのジェスチャを撮影して、そのジェスチャに従った機器操作を行うために、TVや、冷蔵庫、エアーコンディショナ等の家電に供される装置
・内視鏡や、赤外光の受光による血管撮影を行う装置等の、医療やヘルスケアの用に供される装置
・防犯用途の監視カメラや、人物認証用途のカメラ等の、セキュリティの用に供される装置
・肌を撮影する肌測定器や、頭皮を撮影するマイクロスコープ等の、美容の用に供され
装置
・スポーツ用途等向けのアクションカメラやウェアラブルカメラ等の、スポーツの用に供される装置
・畑や作物の状態を監視するためのカメラ等の、農業の用に供される装置
【０２０６】
以下、より具体的な応用例について説明する。
【０２０７】
例えば、図１の撮像装置１０の各画素５１の狭帯域フィルタＮＢの透過帯域を調整することにより、撮像装置１０の各画素５１が検出する光の波長帯域（以下、検出帯域と称する）を調整することができる。そして、各画素５１の検出帯域を適切に設定することにより、撮像装置１０を様々な用途に用いることができる。
【０２０８】
例えば、図３５は、食品のうまみや鮮度を検出する場合の検出帯域の例が示されている。
【０２０９】
例えば、マグロや牛肉等のうまみ成分を示すミオグロビンを検出する場合の検出帯域のピーク波長は５８０〜６３０ｎｍの範囲内であり、半値幅は３０〜５０ｎｍの範囲内である。マグロや牛肉等の鮮度を示すオレイン酸を検出する場合の検出帯域のピーク波長は９８０ｎｍであり、半値幅は５０〜１００ｎｍの範囲内である。小松菜などの葉物野菜の鮮度を示すクロロフィルを検出する場合の検出帯域のピーク波長は６５０〜７００ｎｍの範囲内であり、半値幅は５０〜１００ｎｍの範囲内である。
【０２１０】
図３６は、果物の糖度や水分を検出する場合の検出帯域の例が示されている。
【０２１１】
例えば、メロンの一品種であるらいでんの糖度を示す果肉光路長を検出する場合の検出帯域のピーク波長は８８０ｎｍであり、半値幅は２０〜３０ｎｍの範囲内である。らいでんの糖度を示すショ糖を検出する場合の検出帯域のピーク波長は９１０ｎｍであり、半値幅は４０〜５０ｎｍの範囲内である。メロンの他の品種であるらいでんレッドの糖度を示すショ糖を検出する場合の検出帯域のピーク波長は９１５ｎｍであり、半値幅は４０〜５０ｎｍの範囲内である。らいでんレッドの糖度を示す水分を検出する場合の検出帯域のピーク波長は９５５ｎｍであり、半値幅は２０〜３０ｎｍの範囲内である。
【０２１２】
りんごの糖度の糖度を示すショ糖を検出する場合の検出帯域のピーク波長は９１２ｎｍであり、半値幅は４０〜５０ｎｍの範囲内である。みかんの水分を示す水を検出する場合の検出帯域のピーク波長は８４４ｎｍであり、半値幅は３０ｎｍである。みかんの糖度を示すショ糖を検出する場合の検出帯域のピーク波長は９１４ｎｍであり、半値幅は４０〜５０ｎｍの範囲内である。
【０２１３】
図３７は、プラスチックの分別を行う場合の検出帯域の例が示されている。
【０２１４】
例えば、ＰＥＴ（Poly Ethylene Terephthalate）を検出する場合の検出帯域のピーク波長は１６６９ｎｍであり、半値幅は３０〜５０ｎｍの範囲内である。ＰＳ（Poly Styrene）を検出する場合の検出帯域のピーク波長は１６８８ｎｍであり、半値幅は３０〜５０ｎｍの範囲内である。ＰＥ（Poly Ethylene）を検出する場合の検出帯域のピーク波長は１７３５ｎｍであり、半値幅は３０〜５０ｎｍの範囲内である。ＰＶＣ（Poly Vinyl Cloride）を検出する場合の検出帯域のピーク波長は１７１６〜１７２６ｎｍの範囲内であり、半値幅は３０〜５０ｎｍの範囲内である。ＰＰ（Polyepropylene）を検出する場合の検出帯域のピーク波長は１７１６〜１７３５ｎｍの範囲内であり、半値幅は３０〜５０ｎｍの範囲内である。
【０２１５】
また、例えば、本技術は、切り花の鮮度管理に適用することができる。
【０２１６】
さらに、例えば、本技術は、食品に混入している異物検査に適用することができる。例えば、本技術は、アーモンド、ブルーベリー、クルミ等のナッツや果物類に混入している皮、殻、石、葉、枝、木片等の異物の検出に適用することができる。また、例えば、本技術は、加工食品や飲料等に混入しているプラスチック片等の異物の検出に適用することができる。
【０２１７】
さらに、例えば、本技術は、植生の指標であるＮＤＶＩ（Normalized Difference Vegetation Index）の検出に適用することができる。
【０２１８】
また、例えば、本技術は、人の肌のヘモグロビン由来の波長５８０ｎｍ付近の分光形状、及び、人肌に含まれるメラニン色素由来の波長９６０ｎｍ付近の分光形状のどちらか一方、又は、両者に基づいて、人の検出に適用することができる。
【０２１９】
さらに、例えば、本技術は、生体検知（生体認証）、ユーザインタフェース、サイン等の偽造防止及び監視等に適用することができる。
【０２２０】
＜内視鏡手術システムへの応用例＞
また、例えば、本開示に係る技術（本技術）は、内視鏡手術システムに適用されてもよい。
【０２２１】
図３８は、本開示に係る技術（本技術）が適用され得る内視鏡手術システムの概略的な構成の一例を示す図である。
【０２２２】
図３８では、術者（医師）１１１３１が、内視鏡手術システム１１０００を用いて、患者ベッド１１１３３上の患者１１１３２に手術を行っている様子が図示されている。図示するように、内視鏡手術システム１１０００は、内視鏡１１１００と、気腹チューブ１１１１１やエネルギー処置具１１１１２等の、その他の術具１１１１０と、内視鏡１１１００を支持する支持アーム装置１１１２０と、内視鏡下手術のための各種の装置が搭載されたカート１１２００と、から構成される。
【０２２３】
内視鏡１１１００は、先端から所定の長さの領域が患者１１１３２の体腔内に挿入される鏡筒１１１０１と、鏡筒１１１０１の基端に接続されるカメラヘッド１１１０２と、から構成される。図示する例では、硬性の鏡筒１１１０１を有するいわゆる硬性鏡として構成される内視鏡１１１００を図示しているが、内視鏡１１１００は、軟性の鏡筒を有するいわゆる軟性鏡として構成されてもよい。
【０２２４】
鏡筒１１１０１の先端には、対物レンズが嵌め込まれた開口部が設けられている。内視鏡１１１００には光源装置１１２０３が接続されており、当該光源装置１１２０３によって生成された光が、鏡筒１１１０１の内部に延設されるライトガイドによって当該鏡筒の先端まで導光され、対物レンズを介して患者１１１３２の体腔内の観察対象に向かって照射される。なお、内視鏡１１１００は、直視鏡であってもよいし、斜視鏡又は側視鏡であってもよい。
【０２２５】
カメラヘッド１１１０２の内部には光学系及び撮像素子が設けられており、観察対象からの反射光（観察光）は当該光学系によって当該撮像素子に集光される。当該撮像素子によって観察光が光電変換され、観察光に対応する電気信号、すなわち観察像に対応する画像信号が生成される。当該画像信号は、ＲＡＷデータとしてカメラコントロールユニット（ＣＣＵ: Camera Control Unit）１１２０１に送信される。
【０２２６】
ＣＣＵ１１２０１は、ＣＰＵ（Central Processing Unit）やＧＰＵ（Graphics Processing Unit）等によって構成され、内視鏡１１１００及び表示装置１１２０２の動作を統括的に制御する。さらに、ＣＣＵ１１２０１は、カメラヘッド１１１０２から画像信号を受け取り、その画像信号に対して、例えば現像処理（デモザイク処理）等の、当該画像信号に基づく画像を表示するための各種の画像処理を施す。
【０２２７】
表示装置１１２０２は、ＣＣＵ１１２０１からの制御により、当該ＣＣＵ１１２０１によって画像処理が施された画像信号に基づく画像を表示する。
【０２２８】
光源装置１１２０３は、例えばＬＥＤ（light emitting diode）等の光源から構成され、術部等を撮影する際の照射光を内視鏡１１１００に供給する。
【０２２９】
入力装置１１２０４は、内視鏡手術システム１１０００に対する入力インタフェースである。ユーザは、入力装置１１２０４を介して、内視鏡手術システム１１０００に対して各種の情報の入力や指示入力を行うことができる。例えば、ユーザは、内視鏡１１１００による撮像条件（照射光の種類、倍率及び焦点距離等）を変更する旨の指示等を入力する。
【０２３０】
処置具制御装置１１２０５は、組織の焼灼、切開又は血管の封止等のためのエネルギー処置具１１１１２の駆動を制御する。気腹装置１１２０６は、内視鏡１１１００による視野の確保及び術者の作業空間の確保の目的で、患者１１１３２の体腔を膨らめるために、気腹チューブ１１１１１を介して当該体腔内にガスを送り込む。レコーダ１１２０７は、手術に関する各種の情報を記録可能な装置である。プリンタ１１２０８は、手術に関する各種の情報を、テキスト、画像又はグラフ等各種の形式で印刷可能な装置である。
【０２３１】
なお、内視鏡１１１００に術部を撮影する際の照射光を供給する光源装置１１２０３は、例えばＬＥＤ、レーザ光源又はこれらの組み合わせによって構成される白色光源から構成することができる。ＲＧＢレーザ光源の組み合わせにより白色光源が構成される場合には、各色（各波長）の出力強度及び出力タイミングを高精度に制御することができるため、光源装置１１２０３において撮像画像のホワイトバランスの調整を行うことができる。また、この場合には、ＲＧＢレーザ光源それぞれからのレーザ光を時分割で観察対象に照射し、その照射タイミングに同期してカメラヘッド１１１０２の撮像素子の駆動を制御することにより、ＲＧＢそれぞれに対応した画像を時分割で撮像することも可能である。当該方法によれば、当該撮像素子にカラーフィルタを設けなくても、カラー画像を得ることができる。
【０２３２】
また、光源装置１１２０３は、出力する光の強度を所定の時間ごとに変更するようにその駆動が制御されてもよい。その光の強度の変更のタイミングに同期してカメラヘッド１１１０２の撮像素子の駆動を制御して時分割で画像を取得し、その画像を合成することにより、いわゆる黒つぶれ及び白とびのない高ダイナミックレンジの画像を生成することができる。
【０２３３】
また、光源装置１１２０３は、特殊光観察に対応した所定の波長帯域の光を供給可能に構成されてもよい。特殊光観察では、例えば、体組織における光の吸収の波長依存性を利用して、通常の観察時における照射光（すなわち、白色光）に比べて狭帯域の光を照射することにより、粘膜表層の血管等の所定の組織を高コントラストで撮影する、いわゆる狭帯域光観察（Narrow Band Imaging）が行われる。あるいは、特殊光観察では、励起光を照射することにより発生する蛍光により画像を得る蛍光観察が行われてもよい。蛍光観察では、体組織に励起光を照射し当該体組織からの蛍光を観察すること（自家蛍光観察）、又はインドシアニングリーン（ICG）等の試薬を体組織に局注するとともに当該体組織にその試薬の蛍光波長に対応した励起光を照射し蛍光像を得ること等を行うことができる。光源装置１１２０３は、このような特殊光観察に対応した狭帯域光及び／又は励起光を供給可能に構成され得る。
【０２３４】
図３９は、図３８に示すカメラヘッド１１１０２及びＣＣＵ１１２０１の機能構成の一例を示すブロック図である。
【０２３５】
カメラヘッド１１１０２は、レンズユニット１１４０１と、撮像部１１４０２と、駆動部１１４０３と、通信部１１４０４と、カメラヘッド制御部１１４０５と、を有する。ＣＣＵ１１２０１は、通信部１１４１１と、画像処理部１１４１２と、制御部１１４１３と、を有する。カメラヘッド１１１０２とＣＣＵ１１２０１とは、伝送ケーブル１１４００によって互いに通信可能に接続されている。
【０２３６】
レンズユニット１１４０１は、鏡筒１１１０１との接続部に設けられる光学系である。鏡筒１１１０１の先端から取り込まれた観察光は、カメラヘッド１１１０２まで導光され、当該レンズユニット１１４０１に入射する。レンズユニット１１４０１は、ズームレンズ及びフォーカスレンズを含む複数のレンズが組み合わされて構成される。
【０２３７】
撮像部１１４０２を構成する撮像素子は、１つ（いわゆる単板式）であってもよいし、複数（いわゆる多板式）であってもよい。撮像部１１４０２が多板式で構成される場合には、例えば各撮像素子によってＲＧＢそれぞれに対応する画像信号が生成され、それらが合成されることによりカラー画像が得られてもよい。あるいは、撮像部１１４０２は、３Ｄ（dimensional）表示に対応する右目用及び左目用の画像信号をそれぞれ取得するための１対の撮像素子を有するように構成されてもよい。３Ｄ表示が行われることにより、術者１１１３１は術部における生体組織の奥行きをより正確に把握することが可能になる。なお、撮像部１１４０２が多板式で構成される場合には、各撮像素子に対応して、レンズユニット１１４０１も複数系統設けられ得る。
【０２３８】
また、撮像部１１４０２は、必ずしもカメラヘッド１１１０２に設けられなくてもよい。例えば、撮像部１１４０２は、鏡筒１１１０１の内部に、対物レンズの直後に設けられてもよい。
【０２３９】
駆動部１１４０３は、アクチュエータによって構成され、カメラヘッド制御部１１４０５からの制御により、レンズユニット１１４０１のズームレンズ及びフォーカスレンズを光軸に沿って所定の距離だけ移動させる。これにより、撮像部１１４０２による撮像画像の倍率及び焦点が適宜調整され得る。
【０２４０】
通信部１１４０４は、ＣＣＵ１１２０１との間で各種の情報を送受信するための通信装置によって構成される。通信部１１４０４は、撮像部１１４０２から得た画像信号をＲＡＷデータとして伝送ケーブル１１４００を介してＣＣＵ１１２０１に送信する。
【０２４１】
また、通信部１１４０４は、ＣＣＵ１１２０１から、カメラヘッド１１１０２の駆動を制御するための制御信号を受信し、カメラヘッド制御部１１４０５に供給する。当該制御信号には、例えば、撮像画像のフレームレートを指定する旨の情報、撮像時の露出値を指定する旨の情報、並びに／又は撮像画像の倍率及び焦点を指定する旨の情報等、撮像条件に関する情報が含まれる。
【０２４２】
なお、上記のフレームレートや露出値、倍率、焦点等の撮像条件は、ユーザによって適宜指定されてもよいし、取得された画像信号に基づいてＣＣＵ１１２０１の制御部１１４１３によって自動的に設定されてもよい。後者の場合には、いわゆるＡＥ（Auto Exposure）機能、ＡＦ（Auto Focus）機能及びＡＷＢ（Auto White Balance）機能が内視鏡１１１００に搭載されていることになる。
【０２４３】
カメラヘッド制御部１１４０５は、通信部１１４０４を介して受信したＣＣＵ１１２０１からの制御信号に基づいて、カメラヘッド１１１０２の駆動を制御する。
【０２４４】
通信部１１４１１は、カメラヘッド１１１０２との間で各種の情報を送受信するための通信装置によって構成される。通信部１１４１１は、カメラヘッド１１１０２から、伝送ケーブル１１４００を介して送信される画像信号を受信する。
【０２４５】
また、通信部１１４１１は、カメラヘッド１１１０２に対して、カメラヘッド１１１０２の駆動を制御するための制御信号を送信する。画像信号や制御信号は、電気通信や光通信等によって送信することができる。
【０２４６】
画像処理部１１４１２は、カメラヘッド１１１０２から送信されたＲＡＷデータである画像信号に対して各種の画像処理を施す。
【０２４７】
制御部１１４１３は、内視鏡１１１００による術部等の撮像、及び、術部等の撮像により得られる撮像画像の表示に関する各種の制御を行う。例えば、制御部１１４１３は、カメラヘッド１１１０２の駆動を制御するための制御信号を生成する。
【０２４８】
また、制御部１１４１３は、画像処理部１１４１２によって画像処理が施された画像信号に基づいて、術部等が映った撮像画像を表示装置１１２０２に表示させる。この際、制御部１１４１３は、各種の画像認識技術を用いて撮像画像内における各種の物体を認識してもよい。例えば、制御部１１４１３は、撮像画像に含まれる物体のエッジの形状や色等を検出することにより、鉗子等の術具、特定の生体部位、出血、エネルギー処置具１１１１２の使用時のミスト等を認識することができる。制御部１１４１３は、表示装置１１２０２に撮像画像を表示させる際に、その認識結果を用いて、各種の手術支援情報を当該術部の画像に重畳表示させてもよい。手術支援情報が重畳表示され、術者１１１３１に提示されることにより、術者１１１３１の負担を軽減することや、術者１１１３１が確実に手術を進めることが可能になる。
【０２４９】
カメラヘッド１１１０２及びＣＣＵ１１２０１を接続する伝送ケーブル１１４００は、電気信号の通信に対応した電気信号ケーブル、光通信に対応した光ファイバ、又はこれらの複合ケーブルである。
【０２５０】
ここで、図示する例では、伝送ケーブル１１４００を用いて有線で通信が行われていたが、カメラヘッド１１１０２とＣＣＵ１１２０１との間の通信は無線で行われてもよい。
【０２５１】
以上、本開示に係る技術が適用され得る内視鏡手術システムの一例について説明した。本開示に係る技術は、以上説明した構成のうち、例えば、カメラヘッド１１１０２や、カメラヘッド１１１０２の撮像部１１４０２に適用され得る。具体的には、例えば、図１の撮像素子１２を、撮像部１１４０２に適用することができる。撮像部１１４０２に本開示に係る技術を適用することにより、より詳細かつ高精度な術部画像を得ることができるため、術者が術部を確実に確認することが可能になる。
【０２５２】
なお、ここでは、一例として内視鏡手術システムについて説明したが、本開示に係る技術は、その他、例えば、顕微鏡手術システム等に適用されてもよい。
【０２５３】
＜移動体への応用例＞
また、例えば、本開示に係る技術は、自動車、電気自動車、ハイブリッド電気自動車、自動二輪車、自転車、パーソナルモビリティ、飛行機、ドローン、船舶、ロボット等のいずれかの種類の移動体に搭載される装置として実現されてもよい。
【０２５４】
図４０は、本開示に係る技術が適用され得る移動体制御システムの一例である車両制御システムの概略的な構成例を示すブロック図である。
【０２５５】
車両制御システム１２０００は、通信ネットワーク１２００１を介して接続された複数の電子制御ユニットを備える。図４０に示した例では、車両制御システム１２０００は、駆動系制御ユニット１２０１０、ボディ系制御ユニット１２０２０、車外情報検出ユニット１２０３０、車内情報検出ユニット１２０４０、及び統合制御ユニット１２０５０を備える。また、統合制御ユニット１２０５０の機能構成として、マイクロコンピュータ１２０５１、音声画像出力部１２０５２、及び車載ネットワークＩ／Ｆ（Interface）１２０５３が図示されている。
【０２５６】
駆動系制御ユニット１２０１０は、各種プログラムにしたがって車両の駆動系に関連する装置の動作を制御する。例えば、駆動系制御ユニット１２０１０は、内燃機関又は駆動用モータ等の車両の駆動力を発生させるための駆動力発生装置、駆動力を車輪に伝達するための駆動力伝達機構、車両の舵角を調節するステアリング機構、及び、車両の制動力を発生させる制動装置等の制御装置として機能する。
【０２５７】
ボディ系制御ユニット１２０２０は、各種プログラムにしたがって車体に装備された各種装置の動作を制御する。例えば、ボディ系制御ユニット１２０２０は、キーレスエントリシステム、スマートキーシステム、パワーウィンドウ装置、あるいは、ヘッドランプ、バックランプ、ブレーキランプ、ウィンカー又はフォグランプ等の各種ランプの制御装置として機能する。この場合、ボディ系制御ユニット１２０２０には、鍵を代替する携帯機から発信される電波又は各種スイッチの信号が入力され得る。ボディ系制御ユニット１２０２０は、これらの電波又は信号の入力を受け付け、車両のドアロック装置、パワーウィンドウ装置、ランプ等を制御する。
【０２５８】
車外情報検出ユニット１２０３０は、車両制御システム１２０００を搭載した車両の外部の情報を検出する。例えば、車外情報検出ユニット１２０３０には、撮像部１２０３１が接続される。車外情報検出ユニット１２０３０は、撮像部１２０３１に車外の画像を撮像させるとともに、撮像された画像を受信する。車外情報検出ユニット１２０３０は、受信した画像に基づいて、人、車、障害物、標識又は路面上の文字等の物体検出処理又は距離検出処理を行ってもよい。
【０２５９】
撮像部１２０３１は、光を受光し、その光の受光量に応じた電気信号を出力する光センサである。撮像部１２０３１は、電気信号を画像として出力することもできるし、測距の情報として出力することもできる。また、撮像部１２０３１が受光する光は、可視光であっても良いし、赤外線等の非可視光であっても良い。
【０２６０】
車内情報検出ユニット１２０４０は、車内の情報を検出する。車内情報検出ユニット１２０４０には、例えば、運転者の状態を検出する運転者状態検出部１２０４１が接続される。運転者状態検出部１２０４１は、例えば運転者を撮像するカメラを含み、車内情報検出ユニット１２０４０は、運転者状態検出部１２０４１から入力される検出情報に基づいて、運転者の疲労度合い又は集中度合いを算出してもよいし、運転者が居眠りをしていないかを判別してもよい。
【０２６１】
マイクロコンピュータ１２０５１は、車外情報検出ユニット１２０３０又は車内情報検出ユニット１２０４０で取得される車内外の情報に基づいて、駆動力発生装置、ステアリング機構又は制動装置の制御目標値を演算し、駆動系制御ユニット１２０１０に対して制御指令を出力することができる。例えば、マイクロコンピュータ１２０５１は、車両の衝突回避あるいは衝撃緩和、車間距離に基づく追従走行、車速維持走行、車両の衝突警告、又は車両のレーン逸脱警告等を含むＡＤＡＳ（Advanced Driver Assistance System）の機能実現を目的とした協調制御を行うことができる。
【０２６２】
また、マイクロコンピュータ１２０５１は、車外情報検出ユニット１２０３０又は車内情報検出ユニット１２０４０で取得される車両の周囲の情報に基づいて駆動力発生装置、ステアリング機構又は制動装置等を制御することにより、運転者の操作に拠らずに自律的に走行する自動運転等を目的とした協調制御を行うことができる。
【０２６３】
また、マイクロコンピュータ１２０５１は、車外情報検出ユニット１２０３０で取得される車外の情報に基づいて、ボディ系制御ユニット１２０２０に対して制御指令を出力することができる。例えば、マイクロコンピュータ１２０５１は、車外情報検出ユニット１２０３０で検知した先行車又は対向車の位置に応じてヘッドランプを制御し、ハイビームをロービームに切り替える等の防眩を図ることを目的とした協調制御を行うことができる。
【０２６４】
音声画像出力部１２０５２は、車両の搭乗者又は車外に対して、視覚的又は聴覚的に情報を通知することが可能な出力装置へ音声及び画像のうちの少なくとも一方の出力信号を送信する。図４０の例では、出力装置として、オーディオスピーカ１２０６１、表示部１２０６２及びインストルメントパネル１２０６３が例示されている。表示部１２０６２は、例えば、オンボードディスプレイ及びヘッドアップディスプレイの少なくとも一つを含んでいてもよい。
【０２６５】
図４１は、撮像部１２０３１の設置位置の例を示す図である。
【０２６６】
図４１では、撮像部１２０３１として、撮像部１２１０１、１２１０２、１２１０３、１２１０４、１２１０５を有する。
【０２６７】
撮像部１２１０１、１２１０２、１２１０３、１２１０４、１２１０５は、例えば、車両１２１００のフロントノーズ、サイドミラー、リアバンパ、バックドア及び車室内のフロントガラスの上部等の位置に設けられる。フロントノーズに備えられる撮像部１２１０１及び車室内のフロントガラスの上部に備えられる撮像部１２１０５は、主として車両１２１００の前方の画像を取得する。サイドミラーに備えられる撮像部１２１０２、１２１０３は、主として車両１２１００の側方の画像を取得する。リアバンパ又はバックドアに備えられる撮像部１２１０４は、主として車両１２１００の後方の画像を取得する。車室内のフロントガラスの上部に備えられる撮像部１２１０５は、主として先行車両又は、歩行者、障害物、信号機、交通標識又は車線等の検出に用いられる。
【０２６８】
なお、図４１には、撮像部１２１０１ないし１２１０４の撮影範囲の一例が示されている。撮像範囲１２１１１は、フロントノーズに設けられた撮像部１２１０１の撮像範囲を示し、撮像範囲１２１１２，１２１１３は、それぞれサイドミラーに設けられた撮像部１２１０２，１２１０３の撮像範囲を示し、撮像範囲１２１１４は、リアバンパ又はバックドアに設けられた撮像部１２１０４の撮像範囲を示す。例えば、撮像部１２１０１ないし１２１０４で撮像された画像データが重ね合わせられることにより、車両１２１００を上方から見た俯瞰画像が得られる。
【０２６９】
撮像部１２１０１ないし１２１０４の少なくとも１つは、距離情報を取得する機能を有していてもよい。例えば、撮像部１２１０１ないし１２１０４の少なくとも１つは、複数の撮像素子からなるステレオカメラであってもよいし、位相差検出用の画素を有する撮像素子であってもよい。
【０２７０】
例えば、マイクロコンピュータ１２０５１は、撮像部１２１０１ないし１２１０４から得られた距離情報を基に、撮像範囲１２１１１ないし１２１１４内における各立体物までの距離と、この距離の時間的変化（車両１２１００に対する相対速度）を求めることにより、特に車両１２１００の進行路上にある最も近い立体物で、車両１２１００と略同じ方向に所定の速度（例えば、０km/h以上）で走行する立体物を先行車として抽出することができる。さらに、マイクロコンピュータ１２０５１は、先行車の手前に予め確保すべき車間距離を設定し、自動ブレーキ制御（追従停止制御も含む）や自動加速制御（追従発進制御も含む）等を行うことができる。このように運転者の操作に拠らずに自律的に走行する自動運転等を目的とした協調制御を行うことができる。
【０２７１】
例えば、マイクロコンピュータ１２０５１は、撮像部１２１０１ないし１２１０４から得られた距離情報を元に、立体物に関する立体物データを、２輪車、普通車両、大型車両、歩行者、電柱等その他の立体物に分類して抽出し、障害物の自動回避に用いることができる。例えば、マイクロコンピュータ１２０５１は、車両１２１００の周辺の障害物を、車両１２１００のドライバが視認可能な障害物と視認困難な障害物とに識別する。そして、マイクロコンピュータ１２０５１は、各障害物との衝突の危険度を示す衝突リスクを判断し、衝突リスクが設定値以上で衝突可能性がある状況であるときには、オーディオスピーカ１２０６１や表示部１２０６２を介してドライバに警報を出力することや、駆動系制御ユニット１２０１０を介して強制減速や回避操舵を行うことで、衝突回避のための運転支援を行うことができる。
【０２７２】
撮像部１２１０１ないし１２１０４の少なくとも１つは、赤外線を検出する赤外線カメラであってもよい。例えば、マイクロコンピュータ１２０５１は、撮像部１２１０１ないし１２１０４の撮像画像中に歩行者が存在するか否かを判定することで歩行者を認識することができる。かかる歩行者の認識は、例えば赤外線カメラとしての撮像部１２１０１ないし１２１０４の撮像画像における特徴点を抽出する手順と、物体の輪郭を示す一連の特徴点にパターンマッチング処理を行って歩行者か否かを判別する手順によって行われる。マイクロコンピュータ１２０５１が、撮像部１２１０１ないし１２１０４の撮像画像中に歩行者が存在すると判定し、歩行者を認識すると、音声画像出力部１２０５２は、当該認識された歩行者に強調のための方形輪郭線を重畳表示するように、表示部１２０６２を制御する。また、音声画像出力部１２０５２は、歩行者を示すアイコン等を所望の位置に表示するように表示部１２０６２を制御してもよい。
【０２７３】
以上、本開示に係る技術が適用され得る車両制御システムの一例について説明した。本開示に係る技術は、以上説明した構成のうち、例えば、撮像部１２０３１に適用され得る。具体的には、例えば、図１の撮像装置１０を撮像部１２０３１に適用することができる。撮像部１２０３１に本開示に係る技術を適用することにより、例えば、車外の情報をより詳細かつ高精度に取得することができ、自動運転の安全性の向上等を実現することができる。
【０２７４】
なお、本技術の実施形態は、上述した実施形態に限定されるものではなく、本技術の要旨を逸脱しない範囲において種々の変更が可能である。
【０２７５】
＜構成の組み合わせ例＞
また、例えば、本技術は、以下のような構成も取ることができる。
【０２７６】
（１）
少なくとも一部の画素において光電変換素子より光の入射側に設けられ、導体薄膜の膜厚が画素により異なる金属薄膜フィルタを
備える撮像素子。
（２）
前記金属薄膜フィルタの導体薄膜の膜厚は、前記金属薄膜フィルタの透過帯域又は吸収帯域により異なる
前記（１）に記載の撮像素子。
（３）
第１の画素の第１の金属薄膜フィルタの透過帯域が第２の画素の第２の金属薄膜フィルタの透過帯域より短波長であり、前記第１の金属薄膜フィルタの導体薄膜が前記第２の金属薄膜フィルタの導体薄膜より薄い
前記（２）に記載の撮像素子。
（４）
前記金属薄膜フィルタは、ホールアレイ構造のプラズモンフィルタであり、
前記第１の金属薄膜フィルタのホールピッチが、前記第２の金属薄膜フィルタのホールピッチより狭い
前記（３）に記載の撮像素子。
（５）
第１の画素の第１の金属薄膜フィルタの吸収帯域が第２の画素の第２の金属薄膜フィルタの吸収帯域より短波長であり、前記第１の金属薄膜フィルタの導体薄膜が前記第２の金属薄膜フィルタの導体薄膜より厚い
前記（２）に記載の撮像素子。
（６）
前記金属薄膜フィルタは、ドットアレイ構造のプラズモンフィルタであり、
前記第１の金属薄膜フィルタのドットピッチが、前記第２の金属薄膜フィルタのドットピッチより狭い
前記（５）に記載の撮像素子。
（７）
前記金属薄膜フィルタの導体薄膜の膜厚は、２種類以上である
前記（１）乃至（６）のいずれかに記載の撮像素子。
（８）
前記金属薄膜フィルタより光の入射側に設けられ、前記金属薄膜フィルタの透過帯域を含む透過帯域を有する透過フィルタを
さらに備える前記（１）乃至（４）のいずれかに記載の撮像素子。
（９）
第１の画素及び第２の画素において、層間膜の上に金属膜を成膜する第１の工程と、
前記第１の画素において、金属膜を除去する第２の工程と、
前記第１の画素及び前記第２の画素において、さらに金属膜を成膜する第３の工程と、
前記第１の画素及び前記第２の画素において、金属膜にホールを形成する第４の工程と
を含む撮像素子の製造方法。
（１０）
第１の画素において、層間膜の金属薄膜フィルタのホールに対応する部分以外に第１の溝を形成する第１の工程と、
第２の画素において、前記層間膜の金属薄膜フィルタのホールに対応する部分以外に前記第１の溝と深さが異なる第２の溝を形成する第２の工程と、
前記第１の画素及び前記第２の画素において、前記層間膜の上に金属膜を成膜し、前記第１の溝及び前記第２の溝に金属膜を充填する第３の工程と、
前記第１の画素及び前記第２の画素において、前記層間膜の表面まで金属膜を除去する第４の工程と
を含む撮像素子の製造方法。
（１１）
少なくとも一部の画素において光電変換素子より光の入射側に設けられ、導体薄膜の膜厚が画素により異なる
金属薄膜フィルタ。
（１２）
撮像素子と、
前記撮像素子から出力される信号を処理する信号処理部と
を備え、
前記撮像素子は、
少なくとも一部の画素において光電変換素子より光の入射側に設けられ、導体薄膜の膜厚が画素により異なる金属薄膜フィルタを
備える電子機器。
【符号の説明】
【０２７７】
１０  撮像装置，  １１  光学系，  １２，１２Ａ乃至１２Ｃ  撮像素子，  １４  信号処理部，  ３１  画素アレイ，  ５１  画素，  ６１  フォトダイオード，  １０１  オンチップマイクロレンズ，  １０２  層間膜，  １０３  狭帯域フィルタ層，  １０４  層間膜，  １０５  光電変換素子層，  １０６  信号配線層，  １０７  カラーフィルタ層，  １０８  フィルタ層，  １２１Ａ乃至１２１Ｄ  プラズモンフィルタ，  １３１Ａ乃至１３１Ｃ  導体薄膜，  １３２Ａ乃至１３２Ｃ’  ホール，  １３３Ａ，１３３Ｂ  ドット，  １３４Ａ，１３４Ｂ  誘電体層,  １５１  プラズモンフィルタ,  １６１Ａ  動体薄膜，  １６２  ＳｉＯ２膜，  １６３  ＳｉＮ膜，  １６４  ＳｉＯ２基板，  ２０３，２２１  半導体チップ，  ３０１  導体薄膜，  ３０２Ａ，３０２Ｂ  ホール，  ３２１  酸化膜，  ３２２  金属膜，  ３５１  導体薄膜，  ３５２Ａ，３５２Ｂ  ホール，  ３７１  酸化膜，  ３７４  金属膜，  ＮＢ  狭帯域フィルタ，  Ｐ  透過フィルタ
【図１】
2018098342.tif 000008
【図２】
2018098342.tif 000009
【図３】
2018098342.tif 000010
【図４】
2018098342.tif 000011
【図５】
2018098342.tif 000012
【図６】
2018098342.tif 000013
【図７】
2018098342.tif 000014
【図８】
2018098342.tif 000015
【図９】
2018098342.tif 000016
【図１０】
2018098342.tif 000017
【図１１】
2018098342.tif 000018
【図１２】
2018098342.tif 000019
【図１３】
2018098342.tif 000020
【図１４】
2018098342.tif 000021
【図１５】
2018098342.tif 000022
【図１６】
2018098342.tif 000023
【図１７】
2018098342.tif 000024
【図１８】
2018098342.tif 000025
【図１９】
2018098342.tif 000026
【図２０】
2018098342.tif 000027
【図２１】
2018098342.tif 000028
【図２２】
2018098342.tif 000029
【図２３】
2018098342.tif 000030
【図２４】
2018098342.tif 000031
【図２５】
2018098342.tif 000032
【図２６】
2018098342.tif 000033
【図２７】
2018098342.tif 000034
【図２８】
2018098342.tif 000035
【図２９】
2018098342.tif 000036
【図３０】
2018098342.tif 000037
【図３１】
2018098342.tif 000038
【図３２】
2018098342.tif 000039
【図３３】
2018098342.tif 000040
【図３４】
2018098342.tif 000041
【図３５】
2018098342.tif 000042
【図３６】
2018098342.tif 000043
【図３７】
2018098342.tif 000044
【図３８】
2018098342.tif 000045
【図３９】
2018098342.tif 000046
【図４０】
2018098342.tif 000047
【図４１】
2018098342.tif 000048